(57)【特許請求の範囲】
【請求項１】
ｉ）異なる視角で異なるカラー印象を付与し、光学可変顔料粒子を含む光学可変組成物で形成された光学可変層と、
ｉｉ）顔料粒子を含む磁気組成物で形成された磁気コードであって、前記顔料粒子が、磁気コア、及び１種又は複数の無機材料で形成された層を有する、磁気コードと、
ｉｉｉ）非金属化基材と、を備えるセキュリティスレッド又はストライプであって、
前記磁気コードが、１つの視角で前記光学可変層のカラー印象を整合させるカラーを有し、
前記光学可変層及び前記磁気コードは、前記セキュリティスレッド又はストライプの１つの側から一体化して目に見え、
前記１種又は複数の無機材料で形成された層が、前記磁気コアを囲繞している、セキュリティスレッド又はストライプ。
【請求項２】
前記光学可変層が、インディシアの形態で１つ若しくは複数のギャップを備える、又は前記光学可変組成物で形成されたインディシアからなる、請求項１に記載のセキュリティスレッド又はストライプ。
【請求項３】
前記顔料粒子が、
１種若しくは複数の無機材料で形成された第１の層、及び１種若しくは複数の無機材料で形成された第２の層によって囲繞された磁気コアであって、前記第１の層及び前記第２の層のうちの少なくとも一方が、金属である１種若しくは複数の無機材料で形成されており、前記第２の層が、前記第１の層と同じ材料で形成されていない、前記磁気コア；又は
金属である１種若しくは複数の無機材料で形成された第１の層、並びに１種若しくは複数の有機材料で形成された第２の層によって囲繞された前記磁気コア；又は
１種若しくは複数の有機材料で形成された第１の層、並びに金属である１種若しくは複数の無機材料で形成された第２の層によって囲繞された前記磁気コア、を備える、請求項１又は２に記載のセキュリティスレッド又はストライプ。
【請求項４】
前記磁気コアが、鉄、Ｆｅ２Ｏ３、及びＦｅ３Ｏ４、並びにこれらの混合物若しくは組合せからなる群から選択される１種若しくは複数の材料で形成されており、並びに／又は
前記１種若しくは複数の有機材料が、ポリアクリレート、ポリスチレン、パリレン、アルコキシシラン、及びこれらの混合物からなる群から選択される、請求項３に記載のセキュリティスレッド又はストライプ。
【請求項５】
前記光学可変顔料粒子の少なくとも一部が、薄膜干渉顔料、磁気薄膜干渉顔料、干渉被覆顔料、コレステリック液晶顔料、磁気コレステリック液晶顔料、及びこれらの混合物からなる、請求項１〜４のいずれか一項に記載のセキュリティスレッド又はストライプ。
【請求項６】
非磁気組成物で形成された非磁気層をさらに備え、
前記非磁気層が、前記磁気コードの前記カラー印象と整合するカラーを有し、
前記光学可変層、前記磁気コード、及び前記非磁気層が、前記セキュリティスレッド又はストライプの１つの側から一体化して目に見える、請求項１〜５のいずれか一項に記載のセキュリティスレッド又はストライプ。
【請求項７】
前記非金属化基材が、プラスチック、ポリマー、複合材料、及びこれらの組合せ又は混合物からなる群から選択される、請求項１〜６のいずれか一項に記載のセキュリティスレッド又はストライプ。
【請求項８】
追加の非金属化基材をさらに備える、請求項１〜７のいずれか一項に記載のセキュリティスレッド又はストライプ。
【請求項９】
接着層、保護層、機械可読層、及びこれらの組合せからなる群から選択される１つ又は複数の追加の層をさらに備える、請求項１〜８のいずれか一項に記載のセキュリティスレッド又はストライプ。
【請求項１０】
偽造、不正、又は不法な複製に対してセキュリティ文書を保護するための、請求項１〜９のいずれか一項に記載のセキュリティスレッド又はストライプの使用。
【請求項１１】
請求項１〜９のいずれか一項に記載のセキュリティスレッド又はストライプを作製するための方法であって、
ａ）請求項１〜９のいずれか一項に記載の磁気組成物を非金属化基材に塗布し、硬化又は少なくとも部分的に硬化させて、磁気コードを形成するステップと、
ｂ）請求項１〜９のいずれか一項に記載の光学可変組成物を塗布し、硬化又は少なくとも部分的に硬化させて、インディシアの形態で１つ若しくは複数のギャップを保ちながら、又はインディシアの形態で光学可変組成物を塗布することによって、ステップａ）の下で得られた構造に光学可変層を形成するステップと、
ｃ）ステップｂ）の下で得られた構造の片側又は両側に熱接着層を塗布する任意選択のステップと、
ｄ）非磁気組成物を塗布し、硬化又は少なくとも部分的に硬化させて、非磁気層を形成する任意選択のステップであって、ステップａ）の前、ステップａ）の後、又はステップｂ）の後に実施されるステップと、を含み、
ステップｄ）が実施された場合に、前記非磁気層が、前記磁気コードの前記カラー印象と整合するカラーを有し、前記光学可変層、前記磁気コード、及び前記非磁気層が、前記セキュリティスレッド又はストライプの１つの側から一体化して目に見える、方法。
【請求項１２】
請求項１〜９のいずれか一項に記載のセキュリティスレッド又はストライプを作製するための方法であって、
ａ）請求項１〜９のいずれか一項に記載の光学可変組成物を塗布し、硬化又は少なくとも部分的に硬化させて、非金属化基材に光学可変層を形成するステップであって、前記光学可変層は、連続であり、或いは前記光学可変層は、インディシアの形態で１つ若しくは複数のギャップを備える、又はインディシアからなる、ステップと、
ｂ）請求項１〜９のいずれか一項に記載の磁気組成物を塗布し、硬化又は少なくとも部分的に硬化させて、ステップａ）の下で得られた構造に磁気コードを形成するステップと、
ｃ）ステップｂ）の下で得られた構造の片側又は両側に熱接着層を任意選択で塗布するステップと、
ｄ）非磁気組成物を塗布し、硬化又は少なくとも部分的に硬化させて、非磁気層を形成する任意選択のステップであって、ステップａ）の前、ステップａ）の後、又はステップｂ）の後に実施されるステップと、を含み、
ステップｄ）が実施された場合に、前記非磁気層が、前記磁気コードの前記カラー印象と整合するカラーを有し、前記光学可変層、前記磁気コード、及び前記非磁気層が、前記セキュリティスレッド又はストライプの１つの側から一体化して目に見える、方法。
【請求項１３】
前記非金属化基材、前記光学可変層、及び前記磁気コードを備える第１の構造を、追加の非金属化基材と積層させるステップをさらに含み、
前記光学可変層、前記磁気コード、及び任意選択の前記非磁気層が、前記非金属化基材と前記追加の非金属化基材との間に配置される、請求項１１又は１２に記載の方法。
【請求項１４】
請求項１〜９のいずれか一項に記載のセキュリティスレッド又はストライプを備えるセキュリティ文書。
【請求項１５】
請求項１４に記載のセキュリティ文書を作製するための方法であって、
セキュリティ文書に前記セキュリティスレッド若しくはストライプを少なくとも部分的に埋め込むか、又は、セキュリティ文書の表面に前記セキュリティスレッド若しくはストライプを取り付けるステップを含み、
前記光学可変層、前記磁気コード、及び前記任意選択の非磁気層が、前記セキュリティ文書の１つの側から一体化して目に見える、方法。
【発明の詳細な説明】
【発明の詳細な説明】
【０００１】
［発明の分野］
[001]本発明は、偽造品及び不法な複製に対する価値のある文書及び価値のある商用品の保護の分野に関する。特に、本発明は、セキュリティ文書中又はセキュリティ文書上に組み込まれるセキュリティスレッド又はストライプ、及び前記セキュリティスレッド又はストライプを備えるセキュリティ文書の分野に関する。
【０００２】
［発明の背景］
[002]カラーフォトコピー及び印刷の品質の絶え間ない改善に伴って、並びに偽造、変造、又は不法な複製に対してセキュリティ文書、例えば、銀行券、価値のある文書又はカード、輸送チケット又はカード、タックスバンデロール、及び製品ラベルなどを保護する試みにおいて、これらの文書に様々なセキュリティ手段を組み込むことが従来の慣行である。セキュリティ手段の典型的な例としては、セキュリティスレッド若しくはストライプ、ウインドウ、繊維、プランチェット、ホイル、デカール、ホログラム、透かし、光学可変顔料、磁気干渉顔料、若しくは磁化可能薄膜干渉顔料を含むセキュリティインク、干渉被覆粒子、サーモクロミック顔料、フォトクロミック顔料、ルミネセンス化合物、赤外線吸収化合物、紫外線吸収化合物、又は磁気化合物がある。
【０００３】
[003]基材に埋め込まれたセキュリティスレッドは、模倣に対してセキュリティ文書及び銀行券を保護するための効率的な手段として当業者に公知である。米国特許第０，９６４，０１４号；米国特許第４，６５２，０１５号；米国特許第５，０６８，００８号；米国特許第５，３２４，０７９号；国際公開第９０／０８３６７Ａ１号；国際公開第９２／１１１４２Ａ１号；国際公開第９６／０４１４３Ａ１号；国際公開第９６／３９６８５Ａ１号；国際公開第９８／１９８６６Ａ１号；欧州特許出願公開第００２１３５０号；欧州特許第０１８５３９６；欧州特許第０３０３７２５；欧州特許出願公開第０３１９１５７号；欧州特許出願第０５１８７４０号；欧州特許出願第０６０８０７８号；欧州特許出願第０６３５４３１号；及び欧州特許出願第１４９８５４５号、並びにこれらに引用された参考文献に参照を行う。
【０００４】
[004]セキュリティスレッドは、金属フィラメント又はプラスチックフィラメントであり、これは、セキュリティ文書又は銀行券を印刷する機能を果たす基材中に製造プロセスの間に組み込まれる。セキュリティスレッド又はストライプは、セキュリティ文書の、特に、銀行券のための公的認証及び／又は機械認証の機能を果たす特定のセキュリティ要素を持つ。一般的なタイプのセキュリティスレッドは、プラスチック基材に配置された金属で形成された文字又はインディシアを含む。アルミニウムなどの金属の非常に薄い層でコーティングされ、次いで脱金属化されているこのようなスレッドは、不連続な金属文字又はネガ文字若しくは逆画像文字を表示する。セキュリティスレッドの偽造品又は不法な複製に対する抵抗力をさらに増大させる目的で、前記スレッドの構造内に追加のセキュリティフィーチャを組み込むことが慣習である。例えば、セキュリティ文書のためのセキュリティフィーチャは、一方では「秘密の」セキュリティフィーチャ、及び他方では「秘密でない」セキュリティフィーチャに一般に分類することができる。秘密のセキュリティフィーチャによってもたらされる保護は、このようなフィーチャが検出することが困難である概念を利用し、検出のために特殊な装置及び知識を典型的には必要とし、一方、「秘密でない」セキュリティフィーチャは、助けを借りずに人間の感覚で容易に検出可能であるという概念を利用する。例えば、このようなフィーチャは、目に見え、及び／又は触覚を介して検出可能であり得る一方、依然として作製及び／又はコピーすることが困難である。セキュリティスレッドの追加のセキュリティフィーチャの典型的な例としては、光学可変材料、ルミネセンス材料、ＩＲ吸収材料、及び磁性材料がある。
【０００５】
[005]国際公開第２００４／０４８１２０号には、少なくとも２つの隣接領域を備えるセキュリティ要素であって、領域の一方は、光学可変層であり、他方の領域は、一定の反射を伴った材料の層を有する、セキュリティ要素が開示されている。開示されたセキュリティ要素は、視覚的に検出することができるグラフィック構成、文字などを形成するために材料を含まないエリアを形成する領域を備える。
【０００６】
[006]米国特許出願公開第２００７／０２４１５５３号には、異なる視角で異なるカラー印象を付与する光学可変層、及びカバーエリア内に、光学可変層の上に配置された半透明インク層を有する貴重な物品をセキュリティ保護するためのセキュリティ要素であって、光学可変層のカラー印象は、既定の眺める条件下で眺めたときカバーエリア内の半透明インク層のカラー印象と調和されている、セキュリティ要素が開示されている。
【０００７】
[007]米国特許出願公開第２０１１／００９５５１８号には、異なる視角で異なるカラー印象を伝える光学可変層、並びにインク層及び金属層を備えるカラー不変（ｃｏｌｏｒ−ｃｏｎｓｔａｎｔ）層からできた積層を具備する、貴重物品をセキュリティ保護するためのセキュリティ要素が開示されている。光学可変層及びカラー不変層は、カバー領域内で積み重なっており、一方、光学可変層及びカラー不変層のうちの最大で１つは、カバー領域の外側に存在する。カバー領域内の積層のカラー印象と、カバー領域の外側の１つの層のカラー印象は、所定の視角で眺めたとき互いに整合する。
【０００８】
[008]欧州特許出願公開第２４６５７０１号には、異なる視角で異なるカラー印象を伝える光学可変層、第１のカラー不変印象を有する第１の部分並びにカラー不変印象及び個別マーキングを有する第２の部分で形成された積層を備える貴重物品をセキュリティ保護するためのセキュリティ要素が開示されている。光学可変層及び２つのカラー不変印象を呈する２つの部分は、カバー領域内で積み重ねられている。開示された異なる層は、光学可変層のカラー印象が、所定の第１の視角で第１の部分のカラー印象と整合し、光学可変層のカラー印象が、第１の視角と異なる所定の第２の視角で第２の部分のカラー印象と整合するように調和されている。
【０００９】
[009]磁性材料が、セキュリティスレッドにおける機械可読セキュリティフィーチャとして使用されている。残念ながら、これらの材料は、ある程度の固有の色を有し、それは、セキュリティペーパーの表面を通じた反射光又は透過光でこれらの材料を視覚的に検出可能にする。したがって、これらの材料を隠し、又は見えないようにする試みが行われている。磁気領域は、視覚的に識別できない一方、偽造者は、この磁気領域を再現することができず、したがって、偽造は失敗し、及び／又は容易に検出されることになる。
【００１０】
[010]ＣＡ２，０７６，５３２Ｃには、文字又はパターンの形態で陥凹を有する金属層、及び金属層を含まない領域内の磁気エリアを備えるセキュリティスレッドが開示されている。ＣＡ２，０７６，５３２Ｃに記載されたセキュリティスレッドの磁気エリアは、金属層によって隠されていることによって見に目えない。
【００１１】
[011]欧州特許出願公開第０３１０７０７号には、磁気的に検出可能で判読可能な模造防止及び／又は不正防止手段を備えるセキュリティスレッド又はストライプが開示されている。開示されたセキュリティスレッド又はストライプは、例えば、磁性酸化鉄などの磁性材料の析出で得られる相互に間隔をあけられた磁気領域を備える。欧州特許出願公開第０３１０７０７号には、マスキング層を、視界から磁気領域を隠し、したがって前記領域の詐欺的な改ざん又は複製を防止するようにさらに追加してもよいことがさらに開示されている。
【００１２】
[012]米国特許第６，５４９，１３１号には、１つ又は複数の金属化ホイル層を使用することによって磁気機械可読情報をカムフラージュ又は埋設するための方法が開示されている。
【００１３】
[013]しかし、磁気エリアを隠すために金属化層を組み込むと、金属化層の潜在的な腐食に起因して使用及び時間を経てセキュリティスレッド又はストライプが劣化し得る。このような劣化を克服するために、耐食層として作用する追加の層を、一般に使用することができる。
【００１４】
[014]欧州特許第１４９７１４１号には、複数の金属化及び脱金属化されたものから形成されるインディシアを担持する透明ポリマーキャリア層、並びに明瞭で透明な磁気層を備えるセキュリティ基材であって、前記磁気層は、磁気層が明瞭で透明なままである濃度及びサイズ分布でのあるサイズの軟磁性材料の粒子を含有する、セキュリティ基材が開示されている。
【００１５】
[015]しかし、磁気層の金属化層並びに隠蔽層及び耐食層との組合せは、高度に厚いセキュリティスレッドをもたらし、それは、ペーパー中に前記スレッドを集積する間に困難を引き起こし得る。
【００１６】
[016]洗練された機械可読セキュリティスレッド又はストライプであって、前記セキュリティスレッド又はストライプを備えるセキュリティ文書の偽造又は不法な複製に対する高い抵抗力を、追加の隠蔽層の非存在下で視覚的に検出可能でない機械可読磁気コードと組み合わせる、洗練された機械可読セキュリティスレッド又はストライプの必要性が残っている。したがって、前記セキュリティスレッド又はストライプは、前記磁気コードを前もって知らないで前記セキュリティスレッド又はストライプを複製することを不可能にすることができ、一方、前記セキュリティスレッド又はストライプは、銀行券などのセキュリティ文書中／上にこれらを組み込むことを可能にする厚さを有する。
【００１７】
［概要］
[017]セキュリティスレッド又はストライプ、及びこれらのセキュリティスレッド又はストライプを作製する方法であって、
ｉ）異なる視角で異なるカラー印象を付与し、光学可変顔料粒子を含む光学可変組成物で形成された光学可変層；
ｉｉ）顔料粒子を含む磁気組成物で形成された磁気コードであって、前記顔料粒子は、１種又は複数の無機材料で形成された層によって囲繞された磁気コアを備える、磁気コード、及び
ｉｉｉ）非金属化基材、を具備し、
上記磁気コードは、１つの視角で光学可変層のカラー印象に整合する色を有し、
上記光学可変層及び上記磁気コードは、セキュリティスレッド又はストライプの１つの側から一体化して目に見える、セキュリティスレッド又はストライプ、及びこれらのセキュリティスレッド又はストライプを作製する方法が本明細書に開示及び特許請求されている。
【００１８】
[018]偽造又は不正に対するセキュリティ文書の保護のためのセキュリティスレッド又はストライプの使用、並びに本明細書に記載のセキュリティスレッド又はストライプを備えるセキュリティ文書も本明細書に記載及び特許請求されている。
【００１９】
[019]本明細書に記載のセキュリティスレッド又はストライプを作製するための方法、及びその方法から得られるセキュリティスレッド又はストライプも本明細書に記載及び特許請求されている。
【００２０】
[020]本明細書に記載のセキュリティスレッド又はストライプは、偽造及び不法な複製に対して高度に抵抗性であり、その理由は、磁気コードは、偽造者によって容易に区別可能でなく、識別可能でないためである。したがって、このような偽造者は、失敗するはずである。磁気コードは、慣例的な機械可読磁気コードの場合と同様に暗くない色を有するだけでなく、光学可変層と１つの視角で整合する色を果たすことによってセキュリティスレッド又はストライプの設計中に完全に一体化されるので、１つ又は複数の隠蔽層及び金属化層によって磁気コードを隠す具体的な必要性がない。さらに、１つの視角で光学可変層のカラー印象を整合させることによって、潜在的な偽造が動機付けされて、機械可読性フィーチャの観点からセキュリティスレッド又はストライプがさらに分析されることにならない。したがって、本明細書に記載のセキュリティスレッド又はストライプは、秘密でない及び秘密の機能性を同時に提供することによって偽造品及び不法な複製に対して高度に抵抗性であり、使用、時間、及び環境への曝露を経た劣化に対して抵抗性であり、厚さが低減されており、したがって、設計のより大きな自由を伴った前記セキュリティスレッド又はストライプの製造、及び銀行券中又は上へのより容易な組込みを可能にする。
【図面の簡単な説明】
【００２１】
【図１Ａ】インディシアからなるコーティングを概略的に例示する図である。
【図１Ｂ】インディシアからなるコーティングを概略的に例示する図である。
【図１Ｃ】インディシアの形態でのギャップを概略的に例示する図である。
【図２Ａ】本発明によるセキュリティスレッド及びストライプの上面図を概略的に例示する図である。
【図２Ｂ】本発明によるセキュリティスレッド及びストライプの上面図を概略的に例示する図である。
【図２Ｃ】本発明によるセキュリティスレッド及びストライプの上面図を概略的に例示する図である。
【図３Ａ】本発明によるセキュリティスレッド及びストライプの上面図を概略的に例示する図である
【図３Ｂ】本発明によるセキュリティスレッド及びストライプの上面図を概略的に例示する図である
【図４Ａ】本発明によるセキュリティスレッド及びストライプの断面を概略的に例示する図である。
【図４Ｂ】本発明によるセキュリティスレッド及びストライプの断面を概略的に例示する図である。
【図４Ｃ】本発明によるセキュリティスレッド及びストライプの断面を概略的に例示する図である。
【図５Ａ】本発明による追加の非金属化基材を備えるセキュリティスレッド及びストライプの断面を概略的に例示する図である。
【図５Ｂ】本発明による追加の非金属化基材を備えるセキュリティスレッド及びストライプの断面を概略的に例示する図である。
【００２２】
［詳細な説明］
[021]以下の定義は、本記載に論じられ、特許請求の範囲に列挙された用語の意味を解釈するのに使用されるべきである。
[022]本明細書では、冠詞「ａ」は、１及び１超を示し、その指示対象名詞を単数形に必ずしも限定しない。
【００２３】
[023]本明細書では、用語「約」は、対象となっている量又は値が、指定された値又は指定された値の付近のいくらかの他の値であり得ることを意味する。この語句は、示された値の±５％の範囲内の同様の値が本発明による等価な結果又は効果を促進することを伝えるように意図されている。
【００２４】
[024]本明細書では、用語「及び／又は」は、前記群の要素のすべて又は１つのみが存在し得ることを意味する。例えば、「Ａ及び／又はＢ」は、「Ａのみ、若しくはＢのみ、又はＡとＢの両方」を意味するものとする。
【００２５】
[025]用語「組成物」は、固体基材上にコーティングを形成することができ、印刷方法によって優先的に、しかし排他的ではなく塗布することができる任意の組成物を指す。
【００２６】
[026]本明細書では、用語「インディシア」は、限定することなく、記号、英数字記号、モチーフ、文字、単語、番号、ロゴ、及び図面を含めたパターンなどの不連続な層を意味するものとする。
【００２７】
[027]スレッド又はストライプは、細長いセキュリティ要素からなる。「細長い」とは、それは、長手方向のセキュリティ要素の寸法が、横方向のその寸法より２倍超大きいことを意味する。本発明によるセキュリティスレッド又はストライプは、約０．５ｍｍ〜約３０ｍｍの間、より好ましくは約０．５ｍｍ〜約５ｍｍの間の幅、すなわち、横方向の寸法を有することが好ましい。本発明によるセキュリティスレッド又はストライプは、約１０〜約６０ミクロンの厚さを有することが好ましい。
【００２８】
[028]本明細書では、用語「顔料」は、ＤＩＮ５５９４３：１９９３−１１及びＤＩＮ  ＥＮ９７１−１：１９９６−０９に与えられた定義によって理解されるべきである。顔料は、染料とは対照的に、周囲の媒体中に可溶性でない粉末又はフレーク形態での材料である。
【００２９】
[029]本明細書では、用語「整合する」又は「整合した」は、２つのカラー印象が視覚的に同一であるように実質的に現れることを意味すると理解されるべきである。
【００３０】
[030]本明細書に記載のセキュリティスレッド又はストライプの真正性は、任意の適当な銀行券処理装置を使用することによって安全に検証することができる。さらに、本明細書に記載のセキュリティスレッド又はストライプは、既定の眺める条件下で、非常に同様に、又は同一に見え、セキュリティスレッド又はストライプが傾けられたとき異なって見える異なるカラーエリアを組み合わせ、こうして高い偽造品又は不法な複製への抵抗力を授ける。
【００３１】
[031]本明細書に記載のセキュリティスレッド又はストライプは、異なる視角で異なるカラー印象を付与し、光学可変顔料粒子を含む光学可変組成物で形成された光学可変層を備える。
【００３２】
[032]光学可変要素は、セキュリティ印刷の分野で公知である。光学可変要素（当技術分野では、ゴニオクロマチック要素又はカラーシフト要素とも呼ばれる。）は、視角又は入射角に依存したカラーを呈し、一般に入手可能なカラースキャニング、印刷、及びコピーオフィス設備による偽造及び／又は不法な複製に対して銀行券及び他のセキュリティ文書を保護するのに使用される。本明細書に記載の光学可変層は、異なる視角で異なるカラー印象を付与する。「異なるカラー印象」とは、それは、要素が、異なる視角で、ＣＩＥＬＡＢ（１９７６）システムの少なくとも１つのパラメータの差異を呈し、好ましくは、異なる「ａ＊」値、異なる「Ｌ＊」値、若しくは異なる「ｂ＊」値を呈し、又は「ａ＊」、「ｂ＊」、及び「Ｌ＊」値の中から選択される２つ若しくは３つの異なる値を呈することを意味する。視角の変動に応じて異なるカラー又はカラー印象を呈する光学可変層と反対に、カラー不変層は、視角の変動に応じてカラー変化又はカラー印象変化を呈さない層からなる。
【００３３】
[033]例えば、光学可変顔料粒子を含む層又はコーティングは、視角の変動（例えば、層又はコーティングの面に対して約９０°の視角から層又はコーティングの面に対して約２２．５°の視角への）に応じてカラー印象ＣＩ１（例えば、金）からカラー印象ＣＩ２（緑色）のカラーシフトを呈する。助けを借りずに人間の感覚で、本明細書に記載のセキュリティスレッド又はストライプの、その可能な偽造品からの、容易な検出、認識、及び／又は識別を可能にするカラーシフト特性によって提供される秘密でないセキュリティに加えて、カラーシフト特性を、セキュリティスレッド又はストライプを認識するための機械可読ツールとして使用することができる。したがって、カラーシフト特性を、セキュリティスレッド又はストライプの光学的な（例えば、スペクトルの）性質が分析される認証プロセスにおいて秘密又は半秘密のセキュリティフィーチャとして同時に使用することができる。したがって、光学可変層のカラーシフト特性を、層の光学的な（例えば、スペクトルの）性質が分析される認証プロセスにおいて秘密又は半秘密のセキュリティフィーチャとして同時に使用することができる。
【００３４】
[034]本発明の一実施形態によれば、光学可変層及び磁気コードがセキュリティスレッド又はストライプの１つの側から一体化して目に見えるという条件で、本明細書に記載の光学可変層は、連続層である。別の実施形態によれば、光学可変層及び磁気コードがセキュリティスレッド又はストライプの１つの側から一体化して目に見えるという条件で、本明細書に記載の光学可変層は、不連続層であり、インディシアの形態で１つ若しくは複数のギャップを備える、又は光学可変組成物で形成されたインディシアからなる。
【００３５】
[035]セキュリティスレッド又はストライプを構成する層は、光学可変層及び磁気コードが、１つの側から同時に眺めることができ、第１の視角で同一に現れ、しかもなお、異なる視角で、光学可変層の光学的変動により、磁気コード及び光学可変層が肉眼で対比されるのが可能になるようなものであり得る。
【００３６】
[036]図１Ａ及び１Ｂに示したように、光学可変層（１）がインディシアＩ（１）からなるとき、光学可変層（１）を欠く１つ又は複数の領域が前記インディシアを囲繞する。図１Ｂに示したように、光学可変層（１）がインディシア（Ｉ（１））からなるとき、前記インディシアは、前記層（Ｉ（１））内に１つ又は複数の材料フリー領域（図１Ｂにおいて「１０」）を備えてもよい。
【００３７】
[037]図１Ｃに示したように、光学可変層（１）がインディシアの形態で１つ又は複数のギャップ（図１ＣにおけるＧ）を備えるとき、前記ギャップは、光学可変層（１）を欠く領域からなる。光学可変層（１）は、インディシアの形態で１つ又は複数のギャップＧを備えるとき、インディシアの形態で材料フリーエリアを備える。言い換えれば、本明細書に記載の光学可変層（１）（インディシアの形態で１つ又は複数のギャップを備えるとき）は、インディシアの形態でネガティブライティングを備える。本明細書では、用語「ネガティブライティング」は、他の点では連続層中の材料フリーエリアを指す。
【００３８】
[038]本明細書に記載のインディシアは、記号、英数字記号、モチーフ、幾何学的パターン、文字、単語、番号、ロゴ、図面、及びこれらの組合せからなる群から独立に選択されることが好ましい。
【００３９】
[039]本明細書に記載の光学可変層は、約２〜約４０ｗｔ％、好ましくは約１０〜約３５ｗｔ％の量で光学可変顔料粒子を含む光学可変組成物で形成されており、重量パーセントは、光学可変組成物の総重量に対するものである。光学可変顔料粒子は、薄膜干渉顔料、磁気薄膜干渉顔料、干渉被覆顔料、コレステリック液晶顔料、磁気コレステリック液晶顔料、及びこれらの混合物からなる群から選択されることが好ましい。
【００４０】
[040]本発明の一実施形態によれば、光学可変層は、好ましくは薄膜干渉顔料、干渉被覆顔料、コレステリック液晶顔料、及びこれらの混合物からなる群から選択される非磁気光学可変顔料を含む光学可変組成物で形成されている。
【００４１】
[041]本発明の一実施形態によれば、本明細書に記載のセキュリティスレッド又はストライプの磁気コードの複雑性を増大させる目的で、光学可変層は、好ましくは磁気薄膜干渉顔料、磁気コレステリック液晶顔料、及びこれらの混合物からなる群から選択される磁気光学可変顔料粒子を含む光学可変組成物で作製することができ、ただし、磁気光学可変顔料を含む光学可変層の磁気的性質は、磁気コア及び本明細書に記載の１種又は複数の無機材料で形成されている層を備える顔料粒子を具備する磁気コードの磁気的性質と異なる。
【００４２】
[042]光学可変特性を呈する適当な薄膜干渉顔料は、当業者に公知であり、米国特許第４，７０５，３００号；米国特許第４，７０５，３５６号；米国特許第４，７２１，２７１号；米国特許第５，０８４，３５１号；米国特許第５，２１４，５３０号；米国特許第５，２８１，４８０号；米国特許第５，３８３，９９５号；米国特許第５，５６９，５３５号；米国特許第５，５７１６２４号、及びこれらに関係する文書に開示されている。光学可変顔料粒子の少なくとも一部が薄膜干渉顔料によって構成されているとき、薄膜干渉顔料は、ファブリ−ペロー反射体／誘電体／吸収体多層構造、より好ましくはファブリ−ペロー吸収体／誘電体／反射体／誘電体／吸収体多層構造を備えることが好適であり、ここで、吸収体層は、入射光を部分的に透過及び部分的に反射しており、誘電体層は、入射光を透過しており、反射体層は、入射光を反射している。反射体層は、金属、金属合金、及びこれらの組合せからなる群から選択される、好ましくは反射金属、反射金属合金、及びこれらの組合せからなる群から選択される、より好ましくはアルミニウム（Ａｌ）、クロム（Ｃｒ）、ニッケル（Ｎｉ）、及びこれらの混合物からなる群から選択される、なおより好ましくはアルミニウム（Ａｌ）である１種又は複数の材料で形成されていることが好ましい。誘電体層は、フッ化マグネシウム（ＭｇＦ２）、二酸化ケイ素（ＳｉＯ２）、及びこれらの混合物からなる群から選択される、より好ましくはフッ化マグネシウム（ＭｇＦ２）である１種又は複数の材料で独立にできていることが好ましい。吸収体層は、クロム（Ｃｒ）、ニッケル（Ｎｉ）、金属合金、及びこれらの混合物からなる群から選択される、より好ましくはクロム（Ｃｒ）である１種又は複数の材料で独立にできていることが好ましい。光学可変顔料粒子の少なくとも一部が薄膜干渉顔料によって構成されているとき、薄膜干渉顔料はＣｒ／ＭｇＦ２／Ａｌ／ＭｇＦ２／Ｃｒ多層構造からなるファブリ−ペロー吸収体／誘電体／反射体／誘電体／吸収体多層構造を備えることが特に好適である。
【００４３】
[043]磁気薄膜干渉顔料粒子は、当業者に公知であり、例えば、米国特許第４，８３８，６４８号；国際公開第２００２／０７３２５０Ａ２号；欧州特許第０６８６６７５号；国際公開第２００３／０００８０１Ａ２号；米国特許６，８３８，１６６号；国際公開第２００７／１３１８３３Ａ１号；欧州特許出願公開第２４０２４０１号、及びこれらに引用されている文書に開示されている。磁気薄膜干渉顔料粒子は、５層ファブリ−ペロー多層構造を有する顔料粒子、及び／又は６層ファブリ−ペロー多層構造を有する顔料粒子、及び／又は７層ファブリ−ペロー多層構造を有する顔料粒子を含むことが好ましい。
【００４４】
[044]好適な５層ファブリ−ペロー多層構造は、吸収体／誘電体／反射体／誘電体／吸収体多層構造からなり、ここで反射体及び／又は吸収体も磁気層であり、好ましくは反射体並びに／又は吸収体は、ニッケル、鉄、及び／若しくはコバルトを含む磁気層、並びに／又は、ニッケル、鉄、及び／若しくはコバルトを含む磁気合金、並びに／又はニッケル（Ｎｉ）、鉄（Ｆｅ）、及び／若しくはコバルト（Ｃｏ）を含む磁気酸化物である。
【００４５】
[045]好適な６層ファブリ−ペロー多層構造は、吸収体／誘電体／反射体／磁気体／誘電体／吸収体多層構造からなる。
【００４６】
[046]好適な７層ファブリペロー多層構造は、米国特許第４，８３８，６４８号に開示されているものなどの吸収体／誘電体／反射体／磁気体／反射体／誘電体／吸収体多層構造からなる。
【００４７】
[047]本明細書に記載の反射体層は、金属及び金属合金からなる群から選択される、好ましくは反射金属及び反射金属合金からなる群から選択される、より好ましくはアルミニウム（Ａｌ）、銀（Ａｇ）、銅（Ｃｕ）、金（Ａｕ）、白金（Ｐｔ）、スズ（Ｓｎ）、チタン（Ｔｉ）、パラジウム（Ｐｄ）、ロジウム（Ｒｈ）、ニオブ（Ｎｂ）、クロム（Ｃｒ）、ニッケル（Ｎｉ）、及びこれらの合金からなる群から選択される、さらにより好ましくはアルミニウム（Ａｌ）、クロム（Ｃｒ）、ニッケル（Ｎｉ）、及びこれらの合金からなる群から選択される、なおより好ましくはアルミニウム（Ａｌ）である１種又は複数の材料で独立にできていることが好ましい。誘電体層は、金属フッ化物、例えば、フッ化マグネシウム（ＭｇＦ２）、フッ化アルミニウム（ＡｌＦ３）、フッ化セリウム（ＣｅＦ３）、フッ化ランタン（ＬａＦ３）、フッ化アルミニウムナトリウム（例えば、Ｎａ３ＡｌＦ６）、フッ化ネオジム（ＮｄＦ３）、フッ化サマリウム（ＳｍＦ３）、フッ化バリウム（ＢａＦ２）、フッ化カルシウム（ＣａＦ２）、フッ化リチウム（ＬｉＦ）など、及び金属酸化物、例えば、酸化ケイ素（ＳｉＯ）、二酸化ケイ素（ＳｉＯ２）、酸化チタン（ＴｉＯ２）、酸化アルミニウム（Ａｌ２Ｏ３）などからなる群から選択される、より好ましくはフッ化マグネシウム（ＭｇＦ２）及び二酸化ケイ素（ＳｉＯ２）からなる群から選択される、なおより好ましくはフッ化マグネシウム（ＭｇＦ２）である１種又は複数の材料から独立にできていることが好ましい。吸収体層は、アルミニウム（Ａｌ）、銀（Ａｇ）、銅（Ｃｕ）、パラジウム（Ｐｄ）、白金（Ｐｔ）、チタン（Ｔｉ）、バナジウム（Ｖ）、鉄（Ｆｅ）  スズ（Ｓｎ）、タングステン（Ｗ）、モリブデン（Ｍｏ）、ロジウム（Ｒｈ）、ニオブ（Ｎｂ）、クロム（Ｃｒ）、ニッケル（Ｎｉ）、これらの金属酸化物、これらの金属硫化物、これらの金属炭化物、及びこれらの金属合金からなる群から選択される、より好ましくはクロム（Ｃｒ）、ニッケル（Ｎｉ）、これらの金属酸化物、及びこれらの金属合金からなる群から選択される、なおより好ましくはクロム（Ｃｒ）、ニッケル（Ｎｉ）、及びこれらの金属合金からなる群から選択される１種又は複数の材料から独立にできていることが好ましい。磁気層は、ニッケル（Ｎｉ）、鉄（Ｆｅ）、及び／若しくはコバルト（Ｃｏ）；並びに／又は、ニッケル（Ｎｉ）、鉄（Ｆｅ）、及び／若しくはコバルト（Ｃｏ）を含む磁気合金；並びに／又はニッケル（Ｎｉ）、鉄（Ｆｅ）、及び／若しくはコバルト（Ｃｏ）を含む磁気酸化物を含むことが好ましい。７層ファブリ−ペロー構造を含む磁気薄膜干渉顔料粒子が好適であるとき、磁気薄膜干渉顔料粒子は、Ｃｒ／ＭｇＦ２／Ａｌ／Ｎｉ／Ａｌ／ＭｇＦ２／Ｃｒ多層構造からなる７層ファブリ−ペロー吸収体／誘電体／反射体／磁気体／反射体／誘電体／吸収体多層構造を備えることが特に好適である。
【００４８】
[048]本明細書に記載の磁気薄膜干渉顔料粒子は、ヒトの健康及び環境にとって安全と考えられており、例えば、５層ファブリ−ペロー多層構造、６層ファブリ−ペロー多層構造、及び７層ファブリ−ペロー多層構造に基づく多層顔料粒子であり得、前記顔料粒子は、約４０ｗｔ％〜約９０ｗｔ％の鉄、約１０ｗｔ％〜約５０ｗｔ％のクロム、及び約０ｗｔ％〜約３０ｗｔ％のアルミニウムを含む実質的にニッケルフリー組成を有する磁気合金を備える１つ又は複数の磁気層を含む。ヒトの健康及び環境にとって安全と考えられている多層顔料粒子の典型的な例は、その全体が参照により本明細書に組み込まれている欧州特許出願公開第ＥＰ２４０２４０１号に見つけることができる。
【００４９】
[049]本明細書に記載の薄膜干渉顔料粒子及び磁気薄膜干渉顔料粒子は、ウェブ（ｗｅｂ）上への異なる要求される層の慣例的な析出技法によって典型的には製造される。例えば、物理蒸着（ＰＶＤ）、化学蒸着（ＣＶＤ）、又は電解析出によって所望の数の層を析出させた後、層の積み重ねが、適当な溶媒に剥離層を溶解させることによって、又はウェブから材料を剥がすことによってウェブから取り出される。次いでこのように得られた材料は分解されてフレークにされ、このフレークは、要求されるサイズの顔料粒子を得るように粉砕、製粉（例えば、ジェットミリングプロセスなど）、又は任意の適当な方法によってさらに処理されなければならない。得られる生成物は、破損した輪郭、不ぞろいな形、及び異なるアスペクト比を有する平らなフレークからなる。適当な顔料粒子の調製についてのさらなる情報は、例えば、参照により本明細書に組み込まれている欧州特許出願公開第１７１０７５６号及び欧州特許出願公開第１６６６５４６号に見つけることができる。
【００５０】
[050]適当な干渉被覆顔料としては、限定することなく、金属酸化物で形成された１つ又は複数の層でコーティングされた金属コア、例えば、チタン、銀、アルミニウム、銅、クロム、ゲルマニウム、モリブデン、又はタンタルなどからなる群から選択される非磁性材料からなる構造、並びに金属酸化物（例えば、酸化チタン、酸化ジルコニウム、酸化スズ、酸化クロム、酸化ニッケル、及び酸化銅）で形成された１つ又は複数の層でコーティングされた合成又は天然の雲母、他の層状ケイ酸塩（例えば、タルク、カオリン、及びセリサイト）、ガラス（例えば、ホウケイ酸塩）、二酸化ケイ素（ＳｉＯ２）、酸化アルミニウム（Ａｌ２Ｏ３）、酸化チタン（ＴｉＯ２）、グラファイト、並びにこれらの混合物で形成されたコアからなる構造があり、上述した構造は、例えば、Ｃｈｅｍ．Ｒｅｖ．、９９（１９９９）、Ｇ．Ｐｆａｆｆ及びＰ．Ｒｅｙｎｄｅｒｓ、１９６３〜１９８１ページ、及び国際公開第２００８／０８３８９４号に記載されている。これらの干渉被覆顔料の典型的な例としては、限定することなく、酸化チタン及び／又は酸化スズで形成された１つ又は複数の層でコーティングされた酸化ケイ素コア；酸化チタン及び／又は酸化ケイ素で形成された１つ又は複数の層コーティングされた天然又は合成の雲母コア、特に、酸化ケイ素及び酸化チタンで形成された互層でコーティングされた雲母コア；酸化チタン、酸化ケイ素、及び／又は酸化スズで形成された１つ又は複数の層でコーティングされたホウケイ酸塩コア；並びに酸化クロム、酸化銅、酸化セリウム、酸化アルミニウム、酸化ケイ素、バナジン酸ビスマス、チタン酸ニッケル、チタン酸コバルト、及び／又はアンチモンドープ、フッ素ドープ、若しくはインジウムドープ酸化スズで形成された１つ又は複数の層でコーティングされた酸化チタンコア；酸化チタンで形成された１つ又は複数の層でコーティングされた酸化アルミニウムコアがある。
【００５１】
[051]コレステリック相における液晶は、その分子の縦軸に垂直ならせん状超構造の形態での分子秩序を呈する。らせん状超構造は、液晶材料全体にわたる周期的屈折率変化の起点にあり、そのことはひいては、決められた波長の光の選択的な透過／反射（干渉フィルター効果）をもたらす。コレステリック液晶ポリマーは、キラル相を有する１種又は複数の架橋性物質（ネマチック化合物）を整列及び配向させることによって得ることができる。らせん状分子配列の特定の状況は、決められた波長範囲内の円偏光光成分を反射する性質を呈するコレステリック液晶材料に至る。ピッチ（すなわち、らせん状配置の３６０°のフル回転が完了する距離）は、特に、温度及び溶媒濃度を含めた選択可能な要因を変動させることによって、キラル成分（複数可）の特質、及びネマチック化合物とキラル化合物の比を変更することによって調整することができる。ＵＶ放射線の影響下での架橋により、所望のらせん状形態を固定することによって所定の状態でピッチが固まり、その結果、得られるコレステリック液晶材料のカラーは、温度などの外部要因にもはや依存しない。次いでコレステリック液晶材料は、所望の粒径にポリマーを引き続いて細かく砕くことによってコレステリック液晶顔料に成形され得る。コレステリック液晶材料から作製される膜及び顔料、並びにこれらの調製の例は、米国特許第５，２１１，８７７号；同第５，３６２，３１５号、及び同第６，４２３，２４６号、並びに欧州特許出願公開第１２１３３３８号；同第１０４６６９２号、及び同第０６０１４８３号に開示されており、これらのそれぞれの開示は、本明細書に参照により組み込まれている。
【００５２】
[052]光学可変特性を呈する適当な磁気コレステリック液晶顔料粒子としては、限定することなく、磁気単層コレステリック液晶顔料粒子及び磁気多層コレステリック液晶顔料粒子がある。このような顔料粒子は、例えば、国際公開第２００６／０６３９２６Ａ１号、米国特許第６，５８２，７８１号、及び同第６，５３１，２２１号に開示されている。国際公開第２００６／０６３９２６Ａ１号には、着磁性などの追加の特定の性質とともに高い輝度及びカラーシフト特性を伴った単層及び単層から得られる顔料粒子が開示されている。開示された単層、及び前記単層を細かく砕くことによって単層から得られる顔料粒子は、３次元的に架橋されたコレステリック液晶混合物及び磁気ナノ粒子を含む。米国特許第６，５８２，７８１号、及び同第６，４１０，１３０号には、配列Ａ１／Ｂ／Ａ２を含む小板形状コレステリック多層顔料粒子が開示されており、配列中、Ａ１及びＡ２は、同一であっても、異なっていてもよく、それぞれは、少なくとも１種のコレステリック層を含み、Ｂは、中間層であって、層Ａ１及びＡ２によって透過される光のすべて又は一部を吸収し、前記中間層に磁気的性質を付与する、中間層である。米国特許第６，５３１，２２１号には、配列Ａ／Ｂ及び任意選択でＣを含む小板形状コレステリック多層顔料粒子が開示されており、配列中、Ａ及びＣは、磁気的性質を付与する顔料粒子を含む吸収層であり、Ｂは、コレステリック層である。
【００５３】
[053]本明細書に記載の光学可変顔料及び磁気光学可変顔料は、光学可変組成物において起こり得る任意の劣化からこれらを保護し、及び／又は多様な組成物中へのこれらの組込みを促進するように表面処理することができ、典型的には腐食防止剤材料及び／又は湿潤剤が使用され得る。
【００５４】
[054]本明細書に記載のセキュリティスレッド又はストライプは、１つの視角で光学可変層のカラー印象を整合させるカラーを有する磁気コードを備える。磁気コードは、磁気コードを形成するように適切に配列されている上述した磁気組成物で形成されている。磁気コードは、セキュリティスレッド若しくはストライプ、又は保護され、真正のものであることが証明されるこのようなセキュリティスレッド若しくはストライプを備えるセキュリティ文書の特性である。本明細書に記載の磁気コードは、本明細書に記載のコアシェル顔料粒子を含む磁気組成物で形成された隣接しない磁気エリア（すなわち、インディシアの２つ、３つ、又はそれ超のエリア）、及び前記磁気組成物を含まないエリアを備え、両方のエリアは、セキュリティスレッド又はストライプの縦方向に沿って延在する所定方向に沿って配列されている。一実施形態では、磁気エリアは、ストライプ又はスレッドにわたって延在するバンドとして配列されており、磁気組成物フリーバンドを形成する間隔でセキュリティスレッド又はストライプの縦方向において間隔をあけられている。磁気コードの磁気エリアは、セキュリティスレッド又はストライプの磁気変動を検出するデバイスによって自動で読取り、解読し、又は認識するための情報を記憶する機能を果たす。
【００５５】
[055]本明細書に記載の磁気コードは、顔料粒子（「コアシェル顔料粒子」と本明細書で呼ぶ）を含む磁気組成物で形成されており、前記顔料粒子は、磁気コア及び１種又は複数の無機材料で形成された層を備え、したがって、本明細書に記載のセキュリティスレッド又はストライプの機械可読磁気的性質だけでなく、特異的なＩＲ性質も授ける。ＩＲ吸収材料に基づく慣例的な磁気コードと比較すると、本明細書に記載の磁気組成物及び本明細書に記載の磁気コードは、６０％より高い、好ましくは８０％より高い８００〜１０００ｎｍの間の広汎なＩＲ反射率を有利なことに有し、こうして偽造又は不法な複製に対する増大した障壁を授ける。その理由は、磁気コードは、ＩＲカメラの下で目に見える（すなわち、ＩＲに透明である）ようにされず、したがって、潜在的な偽造者は、磁気コードを偽造するように動機付けされないためである。さらに、ＩＲ透明磁気コードを使用すると、セキュリティ文書に存在する任意の他のＩＲ吸収セキュリティ要素との任意の干渉を回避することによって、本明細書に記載のセキュリティスレッド又はストライプを備えるセキュリティ文書の設計の自由が増大する。
【００５６】
[056]本明細書に記載の磁気コードは、顔料粒子を含む磁気組成物で形成されており、前記顔料粒子は、磁気コア及び１種又は複数の無機材料で形成された層を備える。本明細書に記載の磁気コードは、約３〜約７０ｗｔ％、好ましくは約１０〜約６０、なおより好ましくは約２０〜約４０ｗｔ％の量で本明細書に記載のコアシェル顔料粒子を含む磁気組成物で形成されていることが好ましく、重量パーセントは、磁気組成物の総重量に対するものである。
【００５７】
[057]本明細書に記載の磁気組成物は、本明細書に記載のコアシェル顔料粒子、及び好ましくは約１〜約７０ｗｔ％の量で１種若しくは複数の染料、及び／又は好ましくは約０．１〜約４５ｗｔ％の量で無機顔料、有機顔料、若しくはこれらの混合物の１種若しくは複数を含み、重量パーセントは、磁気組成物の総重量に対するものである。
【００５８】
[058]インクに適した染料は、当技術分野で公知である。適当な染料は、ＩＲ透明染料（すなわち、６０％より高い８００〜１０００ｎｍの間の広汎なＩＲ反射率を有する染料）であり、反応性染料、直接染料、アニオン性染料、カチオン性染料、酸性染料、塩基性染料、食用染料、金属錯体染料、溶剤染料、及びこれらの混合物からなる群から選択されることが好ましい。適当な染料の典型的な例としては、限定することなく、Ｃ．Ｉ．ソルベントイエロー７９、８１、８２、８８、８９；Ｃ．Ｉ．ソルベントオレンジ１１、５４、５６、９９；Ｃ．Ｉ．ソルベントブラウン４２、４３、４４；Ｃ．Ｉ．ソルベントレッド１１８、１２２、１２５、１２７、１３０、１６０、１９９、２３３；Ｃ．Ｉ．ソルベントブルー６７、７０；Ｃ．Ｉ．ソルベントブラック２７、２８、２９；アシッドブルー９、２６０、１５８；及びリアクティブブルー１７６がある。商標オラゾール（Ｏｒａｓｏｌ）（登録商標）イエロー０８１、１４１、１５２、１５７、１９０；オラゾール（登録商標）オレンジ２４５、２４７、２５１、ＲＧ、２７２；オラゾール（登録商標）ブラウン３２２、３２４、３２６；オラゾール（登録商標）レッド３３０、３３５、３５５、３６３、３６５、３８５、３９５、４７１；オラゾール（登録商標）ピンク４７８；オラゾール（登録商標）ブルー８２５、８５５、ＧＬ；オラゾール（登録商標）ブラックＸ４５、ＲＬＩ、Ｘ５１、Ｘ５５の下で市販されている染料も使用することができる。
【００５９】
[059]インクに適した有機顔料及び無機顔料は、当技術分野で公知である。適当な有機顔料及び無機顔料は、ＩＲ透明顔料（すなわち、６０％より高い８００〜１０００ｎｍの間の広汎なＩＲ反射率を有する染料）である。本発明に適した有機顔料及び無機顔料の典型的な例としては、限定することなく、Ｃ．Ｉ．ピグメントイエロー１１０、１３９、１５１；Ｃ．Ｉ．ピグメントオレンジ６９、７３；Ｃ．Ｉ．ピグメントレッド１２２、１７９、２０２、２５４、２８２；Ｃ．Ｉ．ピグメントブラウン２９；Ｃ．Ｉ．ピグメントバイオレット１９；Ｃ．Ｉ．ピグメントブルー１５：１、１５：２、１５：３、１５：４、１５：６、６０；Ｃ．Ｉ．ピグメントグリーン７、３６；及びＣ．Ｉ．ピグメントブラック３１、３２がある。
【００６０】
[060]代わりに、非干渉被覆顔料が本明細書に記載の磁気組成物中に含まれていてもよい。非干渉被覆顔料の典型的な例としては、限定することなく、合成又は天然の雲母で形成されたコア、並びに酸化チタン、酸化ケイ素、酸化鉄、及び／又は酸化スズで形成された１種又は複数の追加の層を備える構造がある。
【００６１】
[061]磁気コードを調製するのに使用される磁気組成物中に含まれる顔料粒子は、磁気コア、及び１種又は複数の無機材料で形成された層を備える。
【００６２】
[062]本明細書に記載のコアシェル顔料粒子のサイズは、好ましくは約０．１〜約３０ミクロンの間、好ましくは約０．５〜約１５ミクロンの間である。
【００６３】
[063]本明細書に記載の磁気コアは、理想的には、それだけに限らないが、２〜５０００Ｏｅの軟磁性、半硬（１２．５〜１２５Ｏｅ）、又は硬磁性タイプで形成されている。本明細書に記載の磁気コアは、磁性金属（特に、鉄、コバルト、及びニッケル）；磁性金属酸化物（特に、Ｆｅ２Ｏ３、Ｆｅ３Ｏ４、ＣｒＯ２、ヘキサフェライト、例えば、バリウムヘキサフェライト及びストロンチウムヘキサフェライトなど、ペロブスカイト、並びにＡ３Ｂ５０１２ガーネット（式中、Ａは、三価希土類イオンであり、Ｂは、Ａｌ３＋、Ｃｒ３＋、Ｆｅ３＋、Ｇａ３＋、又はＢｉ３＋のものである。））；磁性金属合金（特に、鉄合金、鉄−ニッケル合金、鉄−コバルト合金、ニッケル−コバルト合金、鉄−ニッケル合金窒化物、及び鉄−ニッケル−コバルト合金窒化物）、並びにこれらの混合物又は組合せからなる群から選択される磁性材料を含むことが好ましい。本明細書に記載の磁気コアは、鉄、Ｆｅ２Ｏ３、及びＦｅ３Ｏ４、並びにこれらの混合物又は組合せからなる群から選択される磁性材料を含むことがより好ましい。
【００６４】
[064]磁気コアの形状には、球などの等方体、ほぼ球状、球状、多面体、結晶化によって得られるものなどの針状体、及び材料の粉砕によって得られるものなどの不規則な粒子形状を有する粉末が含まれることが好ましい。
【００６５】
[065]本明細書に記載の磁気コアは、層によって囲繞されており、前記層は、１種又は複数の無機材料で形成されている。
【００６６】
[066]一実施形態によれば、本明細書に記載の１種又は複数の無機材料は、好ましくは銀、アルミニウム、ニッケル、パラジウム、白金、パラジウム、銅、金、ロジウム、亜鉛、イリジウム、及びこれらの合金からなる群から選択される、より好ましくは銀、アルミニウム、及び金からなる群から選択される、なおより好ましくは銀である金属である。
【００６７】
[067]別の実施形態によれば、本明細書に記載の１種又は複数の無機材料は、好ましくはＭｇＯ、及びＺｎＯ、Ａｌ２Ｏ３、Ｙ２Ｏ３、Ｌｎ２Ｏ３（式中、Ｌｎは、ランタニドである。）、ＳｉＯ２、ＴｉＯ２、ＺｒＯ２、ＣｅＯ２、並びにこれらの混合物）からなる群から選択される、より好ましくはＳｉＯ２、ＴｉＯ２、及びＹ２Ｏ３、並びにこれらの混合物からなる群から選択される、さらになおより好ましくはＳｉＯ２及びＴｉＯ２からの金属酸化物である。
【００６８】
[068]別の実施形態によれば、本明細書に記載の１種又は複数の無機材料は、好ましくはＺｎＳ；ＣａＳ、及びこれらの混合物からなる群から選択される金属硫化物である。
【００６９】
[069]一実施形態によれば、本明細書に記載の１種又は複数の無機材料は、本明細書に記載したものなどの金属、金属酸化物、及び金属硫化物の組合せである。
【００７０】
[070]好適な実施形態によれば、顔料粒子の磁気コアは、２つ又はそれ超の層、３つ又はそれ超、４つ又はそれ超の層、例えば、第１の層、第２の層、第３の層などによって囲繞されている。
【００７１】
[071]一実施形態によれば、本明細書に記載の顔料粒子の磁気コアは、２つの層によって囲繞されている。好適な実施形態によれば、本明細書に記載の顔料粒子の磁気コアは、本明細書に記載の１種又は複数の無機材料で形成された第１の層、及び１種又は複数の無機材料で形成された第２の層によって囲繞されており、第１の層及び第２の層のうちの少なくとも一方は、好ましくは銀、アルミニウム、及び金からなる群から選択される、本明細書に記載したものなどの金属である１種又は複数の無機材料で形成されており、第２の層は、第１の層と同じ材料で形成されていない。別の好適な実施形態によれば、本明細書に記載の顔料粒子の磁気コアは、本明細書に記載の１種又は複数の無機材料で形成された第１の層、及び１種又は複数の有機材料で形成された第２の層によって囲繞されており、第１の層は、好ましくは銀、アルミニウム、及び金からなる群から選択される、本明細書に記載したものなどの金属である１種又は複数の無機材料で形成されている。別の好適な実施形態によれば、本明細書に記載の顔料粒子の磁気コアは、本明細書に記載の１種又は複数の有機材料で形成された第１の層、及び１種又は複数の無機材料で形成された第２の層によって囲繞されており、第２の層は、好ましくは銀、アルミニウム、及び金からなる群から選択される、本明細書に記載したものなどの金属である１種又は複数の無機材料で形成されている。
【００７２】
[072]別の実施形態によれば、本明細書に記載の顔料粒子の磁気コアは、３つの層によって囲繞されている。好適な実施形態によれば、本明細書に記載の顔料粒子の磁気コアは、本明細書に記載の１種又は複数の無機材料で形成された３つの層によって囲繞されており、３つの層のうちの１つは、好ましくは銀、アルミニウム、及び金からなる群から選択される、本明細書に記載したものなどの金属である１種又は複数の無機材料で形成されており、隣接する層は、同じ材料で形成されていない。別の好適な実施形態によれば、本明細書に記載の顔料粒子の磁気コアは、本明細書に記載の１種又は複数の無機材料で形成された層、本明細書に記載の１種又は複数の無機材料で形成された別の層、及び本明細書に記載の１種又は複数の有機材料で形成された別の層によって囲繞されており、無機層のうちの少なくとも１つは、好ましくは銀、アルミニウム、及び金からなる群から選択される、本明細書に記載したものなどの金属である１種又は複数の無機材料で形成されており、ただし、隣接する層は、同じ材料で形成されていない（明確さの目的で、本明細書に記載の配列は、限定されない）。別の好適な実施形態によれば、本明細書に記載の顔料粒子の磁気コアは、本明細書に記載の１種又は複数の有機材料で形成された層、本明細書に記載の１種又は複数の無機材料で形成された別の層、及び本明細書に記載の１種又は複数の有機材料で形成された別の層によって囲繞されており、１種又は複数の無機材料で形成された層は、好ましくは銀、アルミニウム、及び金からなる群から選択される、本明細書に記載したものなどの金属である１種又は複数の無機材料で形成されており、ただし、隣接する層は、同じ材料で形成されていない（明確さの目的で、本明細書に記載の配列は、限定されない）。
【００７３】
[073]本明細書に記載の１種又は複数の有機材料は、ポリアクリレート（好ましくはポリ（メチルメタクリレート、ＰＭＭＡ）、ポリスチレン、パリレン、アルコキシシラン（好ましくは３−メタクリロキシプロピルトリメトキシシラン、ＴＭＰ）、及びこれらの組合せからなる群から選択されることが好ましい。１種又は複数の有機材料は、ポリ（メチルメタクリレート）及び３−メタクリロキシプロピルトリメトキシシランからなる群から選択されることがより好ましい。
【００７４】
[074]好適な実施形態によれば、コアシェル顔料粒子の本明細書に記載の磁気コアは、第１の層及び第２の層によって囲繞されており、第１の層は、好ましくは銀、アルミニウム、及び金からなる群から選択される、本明細書に記載したものなどの金属である１種又は複数の無機材料で形成されており、第２の層は、好ましくはＳｉＯ２、ＴｉＯ２、及びＹ２Ｏ３からなる群から選択される、上述したものなどの金属酸化物である１種又は複数の無機材料で形成されている。このような粒子の好適な例としては、限定することなく、銀で形成された第１の層、並びにＳｉＯ２、ＴｉＯ２、及びＹ２Ｏ３からなる群から選択される、より好ましくはＳｉＯ２及びＴｉＯ２からなる群から選択される１種又は複数の無機材料で形成された第２の層によって囲繞されたコアシェル顔料粒子の本明細書に記載の磁気コアを備える粒子がある。
【００７５】
[075]別の好適な実施形態によれば、コアシェル顔料粒子の本明細書に記載の磁気コアは、第１の層及び第２の層によって囲繞されており、第１の層は、好ましくは銀、アルミニウム、及び金からなる群から選択される、本明細書に記載したものなどの金属である１種又は複数の無機材料で形成されており、第２の層は、上述したものなどの１種又は複数の有機材料で形成されている。このような粒子の好適な例としては、限定することなく、銀で形成された第１の層、並びにポリ（メチルメタクリレート）及び３−メタクリロキシプロピルトリメトキシシランからなる群から選択される１種又は複数の有機材料で形成された第２の層によって囲繞された本明細書に記載の磁気コアを備える顔料粒子がある。
【００７６】
[076]別の好適な実施形態によれば、コアシェル顔料粒子の本明細書に記載の磁気コアは、第１の層及び第２の層によって囲繞されており、第１の層は、好ましくはＳｉＯ２、ＴｉＯ２、及びＹ２Ｏ３からなる群から選択される、上述したものなどの金属酸化物である１種又は複数の無機材料で形成されており、第２の層は、好ましくは銀、アルミニウム及び金からなる群から選択される、本明細書に記載したものなどの金属である１種又は複数の無機材料で形成されている。このような粒子の好適な例としては、限定することなく、ＳｉＯ２、ＴｉＯ２、及びＹ２Ｏ３からなる群から選択される、より好ましくはＳｉＯ２及びＴｉＯ２からなる群から選択される１種又は複数の無機材料で形成された第１の層、並びに銀で形成された第２の層によって囲繞された本明細書に記載の磁気コアを備える粒子がある。
【００７７】
[077]別の好適な実施形態によれば、コアシェル顔料粒子の本明細書に記載の磁気コアは、第１の層及び第２の層によって囲繞されており、第１の層は、上述したものなどの１種又は複数の有機材料で形成されており、第２の層は、好ましくは銀、アルミニウム、及び金からなる群から選択される、本明細書に記載したものなどの金属である１種又は複数の無機材料で形成されている。このような粒子の好適な例としては、限定することなく、ポリ（メチルメタクリレート）及び３−メタクリロキシプロピルトリメトキシシランからなる群から選択される１種又は複数の有機材料で形成された第１の層、並びに銀で形成された第２の層によって囲繞された本明細書に記載の磁気コアを備える粒子がある。
【００７８】
[078]すべての適切な析出プロセス（物理的及び／又は化学的）を、本明細書に記載の磁気コア上に有機層及び無機層を析出させるのに使用することができる。析出プロセス又はコーティングプロセスの典型的な例としては、限定することなく、化学蒸着（ＣＶＤ）及び湿式化学コーティングがある。有機材料層を形成する場合では、これらのコアシェル顔料粒子は、液相に本明細書に記載の磁気コアを分散させることからなる方法によって調製することができ、有機層は、乳化重合（液相重合法）によって、又は有機層が気相（ＣＶＤ）（ＰＶＤ）、若しくはさらに他のうちで当業者によって知られている方法で形成される方法によって粒子上に形成される。
【００７９】
[079]興味ある追加の顔料性質、例えば、表面ぬれ性及び分散性質などを、コアシェル顔料粒子に適切な最外層（すなわち、環境に面している層）を析出することによって得ることができ、これらの性質は、本明細書に記載の磁気組成物の製造中で有用であり、こうして前記組成物に貯蔵中及び塗布プロセス中の安定な挙動を授ける。
【００８０】
[080]特に好適な実施形態では、本明細書に記載の磁気組成物は、本明細書に記載のコアシェル顔料粒子を含み、前記粒子は、ＣＩＥＬＡＢ（１９７６）スケールによって６０より高い、好ましくは７５より高い、最も好ましくは８０より高いバルクの明度Ｌ＊を有する。
【００８１】
[081]本明細書に記載のセキュリティスレッド又はストライプは、本明細書に記載の光学可変層及び本明細書に記載の磁気コードを備える。光学可変層は、磁気コードに隣接していてもよく、又は相隔たっていてもよい。「隣接する」とは、それは、光学可変層及び磁気コードが直接接触していることを意味する。「相隔たる」とは、それは、光学可変層及び磁気コードが、直接接触しておらず、セキュリティスレッド又はストライプの幅の５０％未満、好ましくは、セキュリティスレッド又はストライプの幅の約５％〜３５％の間の距離が、前記光学可変層と前記磁気コードとの間に存在することを意味する。
【００８２】
[082]図２Ａ〜Ｃは、本明細書に記載のセキュリティスレッド又はストライプの例の上面図であり、（１）は、光学可変層からなり、（２）は、磁気コードからなり、（Ｇ）は、光学可変層内のギャップからなる。図２Ａ〜Ｂは、本明細書に記載の光学可変組成物で形成されたインディシア（図２Ａにおいて矩形パターン及び図２Ｂにおいて「１０」）からなる光学可変層（１）を備えるセキュリティスレッド又はストライプを例示する。図２Ｃは、インディシア（図２Ｃにおいて「１０」）の形態での１つ又は複数のギャップを備える光学可変層（１）を具備するセキュリティスレッド又はストライプを例示する。
【００８３】
[083]本明細書に記載のセキュリティスレッド又はストライプは、非金属化基材を備える。非金属化基材は、好ましくはポリオレフィン（例えば、ポリエチレン及びポリプロピレン）、ポリアミド、ポリエステル（例えば、ポリ（エチレンテレフタレート）（ＰＥＴ）、ポリ（１，４−ブチレンテレフタレート）（ＰＢＴ）、及びポリ（エチレン２，６−ナフトエート）（ＰＥＮ））、ポリ塩化ビニル（ＰＶＣ）、並びにこれらの混合物からなる群から選択される１種又は複数のプラスチック又はポリマーで形成されていることが好ましい。
【００８４】
[084]記載したセキュリティスレッド又はストライプは、非磁気組成物で形成された非磁気層をさらに備える場合があり、前記非磁気層は、磁気コードのカラー印象と整合するカラーを有する。典型的には、本明細書に記載の非磁気層は、好ましく約１〜約６０ｗｔ％の量で１種若しくは複数の染料、及び／又は好ましくは約０．１〜約４５ｗｔ％の量で無機顔料、有機顔料、若しくはこれらの混合物の１種若しくは複数を含む非磁気組成物で形成されており、重量パーセントは、非磁気組成物の総重量に対するものである。非磁気層は、視角とともに変化しないカラー不変層であり得る。非磁気層は、肉眼で視覚に関係なく磁気コードを構成する磁気エリア及び磁気組成物フリーエリアを区別することが可能でないように磁気コードをごまかすように機能を果たすことができる。
【００８５】
[085]非磁気層は、肉眼で１つの側から磁気組成物フリーエリア中で目に見えるように配置されてもよい。このように、磁気エリアのサイズ及び場所は、肉眼で決定できるものでなく、その理由は、肉眼が非磁気層と磁気エリアを識別することができないためである。
【００８６】
[086]一実施形態では、非磁気層は、磁気組成物フリーエリア内に配置されるように厚さ方向において磁気コードの磁気エリアと同じレベルであり得る。光学可変層は、スレッド又はストライプの厚さ方向において、磁気エリア及びその間に配置される非磁気層のレベルの基材側又は反対側に配置することができる。
【００８７】
[087]本明細書に記載の非磁気組成物に適した染料は、当技術分野で公知であり、好ましくは、反応性染料、直接染料、アニオン性染料、カチオン性染料、酸性染料、塩基性染料、食用染料、金属錯体染料、溶剤染料、及びこれらの混合物を含む群から選択される。適当な染料の典型的な例としては、限定することなく、クマリン、シアニン、オキサジン、ウラニン、フタロシアニン、インドリノシアニン、トリフェニルメタン、ナフタロシアニン、インドナナフタロ（ｉｎｄｏｎａｎａｐｈｔａｌｏ）−金属染料、アントラキノン、アントラピリドン、アゾ染料、ローダミン、スクアリリウム染料、クロコニウム染料がある。本発明に適した染料の典型的な例としては、限定することなく、Ｃ．Ｉ．アシッドイエロー１、３、５、７、１１、１７、１９、２３、２５、２９、３６、３８、４０、４２、４４、４９、５４、５９、６１、７０、７２、７３、７５、７６、７８、７９、９８、９９、１１０、１１１、１２１、１２７、１３１、１３５、１４２、１５７、１６２、１６４、１６５、１９４、２０４、２３６、２４５；Ｃ．Ｉ．ダイレクトイエロー１、８、１１、１２、２４、２６、２７、３３、３９、４４、５０、５８、８５、８６、８７、８８、８９、９８、１０６、１０７、１１０、１３２、１４２、１４４；Ｃ．Ｉ．ベーシックイエロー１３、２８、６５；Ｃ．Ｉ．リアクティブイエロー１、２、３、４、６、７、１１、１２、１３、１４、１５、１６、１７、１８、２２、２３、２４、２５、２６、２７、３７、４２；Ｃ．Ｉ．フードイエロー３、４；Ｃ．Ｉ．アシッドオレンジ１、３、７、１０、２０、７６、１４２、１４４；Ｃ．Ｉ．ベーシックオレンジ１、２、５９；Ｃ．Ｉ．フードオレンジ２；Ｃ．Ｉ．オレンジＢ；Ｃ．Ｉ．アシッドレッド１、４、６、８、９、１３、１４、１８、２６、２７、３２、３５、３７、４２、５１、５２、５７、７３、７５、７７、８０、８２、８５、８７、８８、８９、９２、９４、９７、１０６、１１１、１１４、１１５、１１７、１１８、１１９、１２９、１３０、１３１、１３３、１３４、１３８、１４３、１４５、１５４、１５５、１５８、１６８、１８０、１８３、１８４、１８６、１９４、１９８、２０９、２１１、２１５、２１９、２２１、２４９、２５２、２５４、２６２、２６５、２７４、２８２、２８９、３０３、３１７、３２０、３２１、３２２、３５７、３５９；Ｃ．Ｉ．ベーシックレッド１、２、１４、２８；Ｃ．Ｉ．ダイレクトレッド１、２、４、９、１１、１３、１７、２０、２３、２４、２８、３１、３３、３７、３９、４４、４６、６２、６３、７５、７９、８０、８１、８３、８４、８９、９５、９９、１１３、１９７、２０１、２１８、２２０、２２４、２２５、２２６、２２７、２２８、２２９、２３０、２３１、２５３；Ｃ．Ｉ．リアクティブレッド１、２、３、４、５、６、７、８、１１、１２、１３、１５、１６、１７、１９、２０、２１、２２、２３、２４、２８、２９、３１、３２、３３、３４、３５、３６、３７、３８、３９、４０、４１、４２、４３、４５、４６、４９、５０、５８、５９、６３、６４、１０８、１８０；Ｃ．Ｉ．フードレッド１、７、９、１４；Ｃ．Ｉ．アシッドブルー１、７、９、１５、２���、２２、２３、２５、２７、２９、４０、４１、４３、４５、５４、５９、６０、６２、７２、７４、７８、８０、８２、８３、９０、９２、９３、１００、１０２、１０３、１０４、１１２、１１３、１１７、１２０、１２６、１２７、１２９、１３０、１３１、１３８、１４０、１４２、１４３、１５１、１５４、１５８、１６１、１６６、１６７、１６８、１７０、１７１、１８２、１８３、１８４、１８７、１９２、１９３、１９９、２０３、２０４、２０５、２２９、２３４、２３６、２４９、２５４、２８５；Ｃ．Ｉ．ベーシックブルー１、３、５、７、８、９、１１、５５、８１；Ｃ．Ｉ．ダイレクトブルー１、２、６、１５、２２、２５、４１、７１、７６、７７、７８、８０、８６、８７、９０、９８、１０６、１０８、１２０、１２３、１５８、１６０、１６３、１６５、１６８、１９２、１９３、１９４、１９５、１９６、１９９、２００、２０１、２０２、２０３、２０７、２２５、２２６、２３６、２３７、２４６、２４８、２４９；Ｃ．Ｉ．リアクティブブルー１、２、３、４、５、７、８、９、１３、１４、１５、１７、１８、１９、２０、２１、２５、２６、２７、２８、２９、３１、３２、３３、３４、３７、３８、３９、４０、４１、４３、４４、４６、７７；Ｃ．Ｉ．フードブルー１、２；Ｃ．Ｉ．アシッドグリーン１、３、５、１６、２６、１０４；Ｃ．Ｉ．ベーシックグリーン１、４；Ｃ．Ｉ：フードグリーン３；Ｃ．Ｉ．アシッドバイオレット９、１７、９０、１０２、１２１；Ｃ．Ｉ．ベーシックバイオレット２、３、１０、１１、２１；Ｃ．Ｉ．アシッドブラウン１０１、１０３、１６５、２６６、２６８、３５５、３５７、３６５、３８４；Ｃ．Ｉ．ベーシックブラウン１；Ｃ．Ｉ．アシッドブラック１、２、７、２４、２６、２９、３１、４８、５０、５１、５２、５８、６０、６２、６３、６４、６７、７２、７６、７７、９４、１０７、１０８、１０９、１１０、１１２、１１５、１１８、１１９、１２１、１２２、１３１、１３２、１３９、１４０、１５５、１５６、１５７、１５８、１５９、１９１、１９４；Ｃ．Ｉ．ダイレクトブラック１７、１９、２２、３２、３９、５１、５６、６２、７１、７４、７７、９４、１０５、１０６、１０７、１０８、１１２、１１３、１１７、１１８、１３２、１３３、１４６、１５４、１６８；Ｃ．Ｉ．リアクティブブラック１、３、４、５、６、８、９、１０、１２、１３、１４、１８、３１；Ｃ．Ｉ．フードブラック２；Ｃ．Ｉ．ソルベントイエロー１９、Ｃ．Ｉ．ソルベントオレンジ４５、Ｃ．Ｉ．ソルベントレッド８、Ｃ．Ｉ．ソルベントグリーン７、Ｃ．Ｉ．ソルベントブルー７、Ｃ．Ｉ．ソルベントブラック７；Ｃ．Ｉ．ディスパースイエロー３、Ｃ．Ｉ．ディスパースレッド４、６０、Ｃ．Ｉ．ディスパースブルー３、及び米国特許第５，０７４，９１４号、同第５，９９７，６２２号、同第６，００１，１６１号、特公平第０２−０８０４７０号公報、特公昭第６２−１９０２７２号公報、同第６３−２１８７６６号公報に開示された金属アゾ染料がある。
【００８８】
[088]本明細書に記載の非磁気組成物に適した有機顔料及び無機顔料の典型的な例としては、限定することなく、Ｃ．Ｉ．ピグメントイエロー１２、Ｃ．Ｉ．ピグメントイエロー４２、Ｃ．Ｉ．ピグメントイエロー９３、１０９、Ｃ．Ｉ．ピグメントイエロー１１０、Ｃ．Ｉ．ピグメントイエロー１４７、Ｃ．Ｉ．ピグメントイエロー１７３、Ｃ．Ｉ．ピグメントオレンジ３４、Ｃ．Ｉ．ピグメントオレンジ４８、Ｃ．Ｉ．ピグメントオレンジ４９、Ｃ．Ｉ．ピグメントオレンジ６１、Ｃ．Ｉ．ピグメントオレンジ７１  Ｃ．Ｉ．ピグメントオレンジ７３、Ｃ．Ｉ．ピグメントレッド９、Ｃ．Ｉ．ピグメントレッド２２、Ｃ．Ｉ．ピグメントレッド２３、Ｃ．Ｉ．ピグメントレッド６７、Ｃ．Ｉ．ピグメントレッド１２２、Ｃ．Ｉ．ピグメントレッド１４４、Ｃ．Ｉ．ピグメントレッド１４６、Ｃ．Ｉ．ピグメントレッド１７０、Ｃ．Ｉ．ピグメントレッド１７７、Ｃ．Ｉ．ピグメントレッド１７９、Ｃ．Ｉ．ピグメントレッド１８５、Ｃ．Ｉ．ピグメントレッド２０２、Ｃ．Ｉ．ピグメントレッド２２４、Ｃ．Ｉ．ピグメントレッド２４２、Ｃ．Ｉ．ピグメントレッド２５４、Ｃ．Ｉ．ピグメントレッド２６４、Ｃ．Ｉ．ピグメントブラウン２３、Ｃ．Ｉ．ピグメントブルー１５、Ｃ．Ｉ．ピグメントブルー１５：３、Ｃ．Ｉ．ピグメントブルー６０、Ｃ．Ｉ．ピグメントバイオレット１９、Ｃ．Ｉ．ピグメントバイオレット２３、Ｃ．Ｉ．ピグメントバイオレット３２、Ｃ．Ｉ．ピグメントバイオレット３７、Ｃ．Ｉ．ピグメントグリーン７、Ｃ．Ｉ．ピグメントグリーン３６、Ｃ．Ｉ．ピグメントブラック７、Ｃ．Ｉ．ピグメントブラック１１、二酸化チタンなどの金属酸化物、アンチモンイエロー、クロム酸鉛、クロム酸硫酸鉛、モリブデン酸鉛、ウルトラマリンブルー、コバルトブルー、マンガンブルー、酸化クロムグリーン、水和酸化クロムグリーン、コバルトグリーン、及び金属硫化物、例えば、硫化セリウム又は硫化カドミウムなど、スルホセレン化カドミウム、亜鉛フェライト、バナジン酸ビスマス、プルシアンブルー、Ｆｅ３Ｏ４、カーボンブラック、混合金属酸化物、アゾ、アゾメチン、メチン、アントラキノン、フタロシアニン、ペリノン、ペリレン、ジケトピロロピロール、チオインジゴ、チアジンインジゴ（ｔｈｉａｚｉｎｉｎｄｉｇｏ）、ジオキサジン、イミノイソインドリン、イミノイソインドリノン、キナクリドン、フラバントロン、インダントロン、アントラピリミジン、及びキノフタロン顔料がある。
【００８９】
[089]代わりに、非干渉被覆顔料が、本明細書に記載の非磁気組成物中に含まれてもよい。非干渉被覆顔料の典型的な例としては、限定することなく、合成又は天然の雲母で形成されたコア、及び酸化チタン、酸化ケイ素、酸化鉄、及び／又は酸化スズで形成された１つ又は複数の追加の層を備える構造がある。
【００９０】
[090]非磁気層は、連続であっても、不連続であってもよく、ただし、光学可変層、磁気コード、及び非磁気層は、セキュリティスレッド又はストライプの１つの側から一体化して目に見える。一実施形態によれば、光学可変層、磁気コード、及び非磁気層が、セキュリティスレッド又はストライプの１つの側から一体化して目に見えるという条件で、本明細書に記載の非磁気層は、インディシアの形態で１つ若しくは複数のギャップを備え得る、又は非磁気組成物で形成されたインディシアからなる不連続層である。図３Ａ〜Ｂは、本明細書に記載のセキュリティスレッド又はストライプの例の上面図であり、（１）は、光学可変層からなり、（２）は、磁気コードからなり、（３）は、非磁気層からなる。図３Ａは、インディシア（矩形パターン）からなる光学可変層（１）、磁気コード（２）、及びインディシア（矩形パターン）からなる非磁気層（３）を備えるセキュリティスレッド又はストライプを例示する。図３Ｂは、インディシア（矩形パターン）からなる光学可変層（１）、インディシア（矩形パターン）からなる磁気コード（２）、及びインディシア（「１０」）からなる非磁気層（３）を備えるセキュリティスレッド又はストライプであって、非磁気層（３）は、光学可変層（１）によって囲繞された、セキュリティスレッド又はストライプを例示する。
【００９１】
[091]図４Ａ〜Ｃは、光学可変層（１）、磁気コード（２）、非磁気層（３）、及び本明細書に記載の非金属化基材（４）をさらに備えるセキュリティスレッド又はストライプを例示する。
【００９２】
[092]本発明の一態様によれば、本明細書に記載の光学可変組成物、及び／又は本明細書に記載の磁気組成物、及び／又は存在するとき、非磁気組成物は、熱乾燥コーティング組成物からなる。熱乾燥コーティング組成物は、水性組成物、溶媒系組成物、又は１種若しくは複数の溶媒とともに水を含む組成物の任意のタイプのコーティング組成物からなり、前記組成物は、熱風、赤外線によって、又は熱風と赤外線の組合せによって乾燥される。熱乾燥コーティング組成物の典型的な例は、限定することなく、樹脂、例えばポリエステル樹脂、ポリエーテル樹脂、塩化ビニルポリマー及び塩化ビニル系コポリマー、ニトロセルロース樹脂、セルロースアセトブチレート若しくはアセトプロピオネート樹脂、マレイン酸樹脂、ポリアミド、ポリオレフィン、ポリウレタン樹脂、官能性ポリウレタン樹脂（例えば、カルボキシル化ポリウレタン樹脂）、ポリウレタンアルキド樹脂、ポリウレタン−（メタ）アクリル樹脂、ウレタン−（メタ）アクリル樹脂、スチレン（メタ）アクリル樹脂、又はこれらの混合物などを含む成分を含む。本発明との関連で用語「（メタ）アクリレート」又は「（メタ）アクリル」は、アクリレート及び対応するメタクリレートを指し、又はアクリル及び対応するメタクリルを指す。本明細書では、用語「溶媒系組成物」は、液体媒体又は担体が１種又は複数の有機溶媒から実質的になる組成物を指す。このような溶媒の例としては、限定することなく、アルコール（例えば、メタノール、エタノール、イソプロパノール、ｎ−プロパノール、エトキシプロパノール、ｎ−ブタノール、ｓｅｃ−ブタノール、ｔｅｒｔ−ブタノール、ｉｓｏ−ブタノール、２−エチルヘキシル−アルコール、及びこれらの混合物など）；ポリオール（例えば、グリセロール、１，５−ペンタンジオール、１，２，６−ヘキサントリオール、及びこれらの混合物など）；エステル（例えば、エチルアセテート、ｎ−プロピルアセテート、ｎ−ブチルアセテート、及びこれらの混合物など）；カーボネート（例えば、ジメチルカーボネート、ジエチルカーボネート、ジ−ｎ−ブチルカーボネート、１，２−エチルカーボネート、１，２−プロピレンカーボネート、１，３−プロピレンカーボネート、及びこれらの混合物など）；芳香族溶媒（例えば、トルエン、キシレン、及びこれらの混合物など）；ケトン及びケトンアルコール（例えば、アセトン、メチルエチルケトン、メチルイソブチルケトン、シクロヘキサノン、ジアセトンアルコール、及びこれらの混合物など）；アミド（例えば、ジメチルホルムアミド、ジメチルアセトアミド、及びこれらの混合物など）；脂肪族又は脂環式炭化水素；塩素化炭化水素（例えば、ジクロロメタンなど）；窒素含有複素環化合物（例えば、Ｎ−メチル−２−ピロリドン、１，３−ジメチル−２−イミダゾリドン、及びこれらの混合物など）；エーテル（例えば、ジエチルエーテル、テトラヒドロフラン、ジオキサン、及びこれらの混合物など；多価アルコールのアルキルエーテル（例えば、２−メトキシエタノール、１−メトキシプロパン−２−オール、及びこれらの混合物など）；アルキレングリコール、アルキレンチオグリコール、ポリアルキレングリコール、又はポリアルキレンチオ���リコール（例えば、エチレングリコール、ポリエチレングリコール（例えば、ジエチレングリコール、トリエチレングリコール、テトラエチレングリコールなど）、プロピレングリコール、ポリプロピレングリコール（例えば、ジプロピレングリコール、トリプロピレングリコールなど）、ブチレングリコール、チオジグリコール、ヘキシレングリコール、及びこれらの混合物など）；ニトリル（例えば、アセトニトリル、プロピオニトリル、及びこれらの混合物など）、並びに硫黄含有化合物（例えば、ジメチルスルホキシド、スルホラン、及びこれらの混合物など）がある。１種又は複数の有機溶媒は、アルコール、エステル、及びこれらの混合物からなる群から選択されることが好ましい。
【００９３】
[093]本発明の別の態様によれば、本明細書に記載の光学可変組成物、及び／又は本明細書に記載の磁気組成物、及び／又は存在するとき、非磁気組成物は、放射線硬化性コーティング組成物からなる。放射線硬化性コーティング組成物は、ＵＶ−可視光放射線（以下、ＵＶ−Ｖｉｓ硬化性と呼ぶ）によって、又はＥ−ビーム照射（以下、ＥＢと呼ぶ）によって硬化され得る組成物を含む。放射線硬化性コーティング組成物は、当技術分野で公知であり、標準的な教科書、例えば、ＳＩＴＡ  Ｔｅｃｈｎｏｌｏｇｙ  Ｌｉｍｉｔｅｄと共同してＪｏｈｎ  Ｗｉｌｅｙ＆Ｓｏｎｓによって１９９７〜１９９８年に７巻で出版されたシリーズ「Ｃｈｅｍｉｓｔｒｙ＆Ｔｅｃｈｎｏｌｏｇｙ  ｏｆ  ＵＶ＆ＥＢ  Ｆｏｒｍｕｌａｔｉｏｎ  ｆｏｒ  Ｃｏａｔｉｎｇｓ、Ｉｎｋｓ＆Ｐａｉｎｔｓ」などに見つけることができる。本明細書に記載のコーティング組成物は、ＵＶ−Ｖｉｓ硬化性コーティング組成物からなることが好ましい。本明細書に記載のＵＶ−Ｖｉｓ硬化性コーティング組成物は、ラジカル硬化性化合物、カチオン硬化性化合物、及びこれらの混合物からなる群から選択されるオリゴマー（当技術分野では、プレポリマーとも呼ばれる。）から調製されることが好ましい。カチオン硬化性化合物は、酸などのカチオン種を遊離し、それがひいては結合剤を形成するように重合を開始する１種又は複数の光開始剤のエネルギーによる活性化からなるカチオン機構によって硬化される。ラジカル硬化性化合物は、フリーラジカルを遊離し、それがひいては結合剤を形成するように重合を開始する１種又は複数の光開始剤のエネルギーによる活性化からなるフリーラジカル機構によって硬化される。モノマー、オリゴマー、又はプレポリマーのＵＶ−ｖｉｓ硬化は、１種又は複数の光開始剤の存在を必要とする場合があり、いくつかの方法で実施することができる。当業者によって公知であるように、１種又は複数の光開始剤は、これらの吸収スペクトルに従って選択され、線源の発光スペクトルと一致するように選択される。本明細書に記載のＵＶ−Ｖｉｓ硬化性コーティング組成物において使用されるモノマー、オリゴマー、又はプレポリマーに応じて、異なる光開始剤が使用され得る。フリーラジカル光開始剤の適当な例は、当業者に公知であり、これらとしては、限定することなく、アセトフェノン、ベンゾフェノン、アルファ−アミノケトン、アルファ−ヒドロキシケトン、ホスフィンオキシド、及びホスフィンオキシド誘導体、及びベンジルジメチルケタールがある。カチオン光開始剤の適当な例は、当業者に公知であり、これらとしては、限定することなく、オニウム塩、例えば、有機ヨードニウム塩（例えば、ジアリールヨードニウム塩）、オキソニウム（例えば、トリアリールオキソニウム塩）、及びスルホニウム塩（例えば、トリアリールスルホニウム塩）がある。有用な光開始剤の他の例は、標準的な教科書、例えば、Ｇ．Ｂｒａｄｌｅｙによって編集され、ＳＩＴＡ  Ｔｅｃｈｎｏｌｏｇｙ  Ｌｉｍｉｔｅｄと共同してＪｏｈｎ  Ｗｉｌｅｙ＆Ｓｏｎｓによって１９９８年に出版されたＪ．Ｖ．Ｃｒｉｖｅｌｌｏ＆Ｋ．Ｄｉｅｔｌｉｋｅｒによる「Ｃｈｅｍｉｓｔｒｙ＆Ｔｅｃｈｎｏｌｏｇｙ  ｏｆ  ＵＶ＆ＥＢ  Ｆｏｒｍｕｌａｔｉｏｎ  ｆｏｒ  Ｃｏａｔｉｎｇｓ、Ｉｎｋｓ＆Ｐａｉｎｔｓ」、ＩＩＩ巻、「Ｐｈｏｔｏｉｎｉｔｉａｔｏｒｓ  ｆｏｒ  Ｆｒｅｅ  Ｒａｄｉｃａｌ  Ｃａｔｉｏｎｉｃ  ａｎｄ  Ａｎｉｏｎｉｃ  Ｐｏｌｙｍｅｒｉｚａｔｉｏｎ」、２版などに見つけることができる。効率的な硬化を実現するために１種又は複数の光開始剤と併せて増感剤を含めることも有利であり得る。適当な光増感剤の典型的な例としては、限定することなく、イソプロピル−チオキサントン（ＩＴＸ）、１−クロロ−２−プロポキシ−チオキサントン（ＣＰＴＸ）、２−クロロ−チオキサントン（ＣＴＸ）、及び２，４−ジエチル−チオキサントン（ＤＥＴＸ）、並びにこれらの混合物がある。ＵＶ−Ｖｉｓ硬化性コーティング組成物に含まれる１種又は複数の光開始剤は、約０．１ｗｔ％〜約２０ｗｔ％、より好ましくは約１ｗｔ％〜約１５ｗｔ％の量で存在することが好ましく、重量パーセントは、ＵＶ−Ｖｉｓ硬化性コーティング組成物の総重量に対するものである。
【００９４】
[094]代わりに、二重硬化コーティング組成物を使用してもよい。これらのコーティング組成物は、熱乾燥機構及び放射線硬化機構を組み合わせる。典型的には、このような組成物は、放射線硬化組成物と同様であるが、水及び／又は溶媒によって構成される揮発性部分を含む。これらの揮発性構成要素は、熱風ドライヤー及び／又はＩＲドライヤーを使用して最初に蒸発され、次いでＵＶ−Ｖｉｓ乾燥が硬化プロセスを完了している。
【００９５】
[095]本明細書に記載の光学可変組成物、及び／又は本明細書に記載の磁気組成物、及び／又は使用されるとき、非磁気組成物は、特異的なスペクトル特性を有する１種又は複数の機械可読材料をさらに含むことができる。１種又は複数の機械可読材料は、ルミネセンス材料からなる群から独立に選択されることが好ましい。
【００９６】
[096]本明細書に記載の光学可変組成物、及び／又は本明細書に記載の磁気組成物、及び／又は使用されるとき、非磁気組成物は、限定することなく、組成物の物理的、流体力学的、及び化学的パラメータ、例えば、粘度（例えば、溶媒及び界面活性剤）、粘稠度（例えば、沈降防止剤、充填剤、及び可塑剤）、発泡性（例えば、消泡剤）、潤滑性（ワックス）、ＵＶ反応性及び安定性（光増感剤及び光安定剤）、並びに接着性などを調整するのに使用される化合物並びに材料を含めた１種又は複数の添加剤を独立にさらに含み得る。本明細書に記載の添加剤は、粒子の寸法の少なくとも１つが１〜１０００ｎｍの範囲内であるいわゆるナノ材料の形態を含めて、当技術分野で公知の量及び形態で本明細書に記載の組成物中に存在し得る。
【００９７】
[097]本明細書に記載の光学可変組成物、及び／又は本明細書に記載の磁気組成物、及び／又は使用されるとき、非磁気組成物は、光学可変顔料粒子、コアシェル顔料粒子、１種又は複数の染料、１種又は複数の無機顔料、場合によって本明細書に記載の１種又は複数の無機顔料、及び本明細書に記載の結合剤の存在下で存在するとき、１種又は複数の添加剤を分散させ、又は混合することによって独立に調製することができ、こうして液体組成物又はペースト状組成物を形成する。存在するとき、１種又は複数の光開始剤は、すべての他の成分の分散若しくは混合ステップ中に組成物に添加されてもよく、又は後の段階で、すなわち、液体組成物又はペースト状組成物の形成後に添加されてもよい。
【００９８】
[098]本明細書に記載のセキュリティスレッド又はストライプは、本明細書に記載の非金属化基材に加えて、追加の非金属化基材をさらに含むことができ、ただし、光学可変層、磁気コード、及び、存在するとき、非磁気層は、セキュリティスレッド又はストライプの１つの側から少なくとも部分的に一体化して目に見える。図５Ａ〜Ｂに例示したように、追加の非金属化基材（５）は、環境に面しており、すなわち、外側に面しており、光学可変層（１）、磁気コード（２）、及び任意選択の非磁気層は、セキュリティスレッド又はストライプの１つの側から少なくとも部分的に一体化して目に見える（図５Ａ〜Ｂの眼を参照）。本明細書に記載の非金属化基材、及び本明細書に記載の任意選択の追加の非金属化基材は、異なっている場合があり、又は同じである場合がある。図５Ａは、本明細書に記載したものなどの非金属化基材（４）、本明細書に記載したものなどの不連続な光学可変層（１）、本明細書に記載したものなどの磁気コード（２）、及び追加の非金属化基材（５）を備えるセキュリティスレッド又はストライプを例示し、ここで、光学可変層（１）及び磁気コード（２）は、２つの非金属化基材（４及び５）の間に備えられており、光学可変層（１）及び磁気コード（２）は、セキュリティスレッド又はストライプの１つの側から少なくとも部分的に一体化して目に見える。図５Ｂは、本明細書に記載したものなどの非金属化基材（４）、本明細書に記載したものなどの連続な光学可変層（１）、本明細書に記載したものなどの磁気コード（２）、及び追加の非金属化基材（５）を備えるセキュリティスレッド又はストライプを例示し、ここで、光学可変層（１）及び磁気コード（２）は、２つの非金属化基材（４及び５）の間に備えられており、光学可変層（１）及び磁気コード（２）は、セキュリティスレッド又はストライプの１つの側から少なくとも部分的に一体化して目に見える。
【００９９】
[099]本明細書に記載の追加の非金属化基材は、より好ましくはポリオレフィン（例えば、ポリエチレン及びポリプロピレン）、ポリアミド、ポリエステル（例えば、ポリ（エチレンテレフタレート）（ＰＥＴ）、ポリ（１，４−ブチレンテレフタレート）（ＰＢＴ）、及びポリ（エチレン２，６−ナフトエート）（ＰＥＮ））、ポリ塩化ビニル（ＰＶＣ）、並びにこれらの混合物からなる群からより選択される１種又は複数のプラスチック又はポリマーで形成されていることが好ましい。
【０１００】
[0100]本明細書に記載のセキュリティスレッド又はストライプは、１つ又は複数の追加の層をさらに含み得、前記１つ又は複数の追加の層は、好ましくは接着層、保護層、機械可読層、及びこれらの組合せから選択され、ただし、光学可変層、磁気コード、及び存在するとき、非磁気層は、セキュリティスレッド又はストライプの１つの側から少なくとも部分的に一体化して目に見える。存在するとき、１つ又は複数の追加の層は、連続であっても、不連続であってもよい。
【０１０１】
[0101]本明細書に記載のセキュリティスレッド又はストライプは、セキュリティ文書に粘着性を、前記セキュリティ文書中に又は前記セキュリティ文書上にセキュリティスレッド又はストライプを組み込むともたらすように、前記セキュリティスレッド又はストライプの少なくとも１つの表面に１つ又は複数の接着層、好ましくは１つ又は複数の熱接着層をさらに含み得、ただし、光学可変層、磁気コード、及び、存在するとき、非磁気層は、セキュリティスレッド又はストライプの１つの側から少なくとも部分的に一体化して目に見える。
【０１０２】
[0102]本明細書に記載のセキュリティスレッド又はストライプは、ルミネセンス材料、赤外線吸収材料、及びこれらの混合物からなる群から選択される１つ又は複数の機械可読材料を含む１つ又は複数の機械可読層をさらに含み得、ただし、光学可変層、磁気コード、及び、存在するとき、非磁気層は、セキュリティスレッド又はストライプの１つの側から少なくとも部分的に一体化して目に見える。
【０１０３】
[0103]本明細書に記載のセキュリティスレッド又はストライプの耐摩耗性及び耐汚損性を増大させる目的で、又は光学的光沢若しくは美的外観を改良する目的で、本明細書に記載のセキュリティスレッド又はストライプは、１つ又は複数の保護層をさらに含み得る。１つ又は複数の保護層は、ある程度光沢のあるものであり得る。保護層は、保護ワニスで典型的にはできており、前記ワニスは、放射線硬化性組成物、熱乾燥組成物、又はこれらの任意の組合せであり得る。
【０１０４】
[0104]本発明は、本明細書に記載のセキュリティスレッド又はストライプを生成するための方法、及びその方法から得られるセキュリティスレッド又はストライプを提供する。
【０１０５】
[0105]本発明の一実施形態によれば、本明細書に記載の方法は、
ａ）本明細書に記載の磁気組成物を本明細書に記載の非金属化基材に塗布し、硬化又は少なくとも部分的に硬化させて磁気コードを形成するステップと、
ｂ）本明細書に記載の光学可変組成物を塗布し、硬化又は少なくとも部分的に硬化させて、インディシアの形態で１つ若しくは複数のギャップを保ちながら、又はインディシアの形態で光学可変組成物を塗布することによって、ステップａ）の下で得られた構造に光学可変層を形成するステップと、
ｃ）ステップｂ）の下で得られた構造の片側又は両側に熱接着層を任意選択で塗布するステップと、
ｄ）本明細書に記載の非磁気組成物を任意選択で塗布し、硬化又は少なくとも部分的に硬化させて、非磁気層を形成するステップであって、ステップａ）の前、ステップａ）の後、又はステップｂ）の後に実施されるステップと、を含む。
【０１０６】
[0106]本発明の別の実施形態によれば、本明細書に記載の方法は、
ａ）本明細書に記載の光学可変組成物を塗布し、硬化又は少なくとも部分的に硬化させて、本明細書に記載の非金属化基材上に光学可変層を形成するステップであって、前記光学可変層は、連続しており、或いは前記光学可変層は、インディシアの形態で１つ若しくは複数のギャップを備える、又はインディシアからなる、ステップと、
ｂ）本明細書に記載の磁気組成物を塗布し、硬化又は少なくとも部分的に硬化させて、ステップａ）の下で得られた構造に磁気コードを形成するステップと、
ｃ）ステップｂ）の下で得られた構造の片側又は両側に熱接着層を任意選択で塗布するステップと、
ｄ）本明細書に記載の非磁気組成物を任意選択で塗布し、硬化又は少なくとも部分的に硬化させて、非磁気層を形成するステップであって、ステップａ）の前、ステップａ）の後、又はステップｂ）の後に実施されるステップと、を含む。
【０１０７】
[0107]光学可変組成物、磁気組成物、及び使用されるとき、非磁気組成物は、印刷プロセスによって塗布されて、それぞれ光学可変層、磁気コード、及び非磁気層を形成することが好ましい。本明細書に記載のセキュリティスレッド又はストライプを生成するのに印刷プロセスを使用すると、設計及びカラー組合せの観点から高い融通性がもたらされる。光学可変組成物、磁気組成物、及び使用されるとき、非磁気組成物は、スクリーン印刷、輪転グラビア印刷、フレキソ印刷、及び凹版印刷からなる群から、より好ましくはスクリーン印刷、輪転グラビア印刷、及びフレキソ印刷からなる群から独立に選択される印刷プロセスによって塗布されることが好ましい。
【０１０８】
[0108]スクリーン印刷（当技術分野では、シルクスクリーン印刷とも呼ばれる。）は、ステンシルプロセスであり、それによってインクが、例えば、木材又は金属（例えば、アルミニウム若しくはステンレス鋼）で形成されたフレーム上にしっかりと伸ばされた、シルク、ポリアミド若しくはポリエステルなどの合成繊維、又は金属糸で形成されたモノ又はマルチフィラメントの微細なファブリックメッシュによって支持されたステンシルを通じて表面に移される。代わりに、スクリーン印刷メッシュは、化学的にエッチングされ、レーザーエッチングされ、又はガルバニックに形成された多孔質金属箔、例えば、ステンレス鋼箔であってもよい。メッシュの孔は、非画像エリア内でブロックアップ（ｂｌｏｃｋ−ｕｐ）であり、画像エリア内で開いたままにされており、像担持体は、スクリーンと呼ばれる。スクリーン印刷は、フラットベッドであっても、ロータリーであってもよい。スクリーン印刷は、例えば、Ｔｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、５版、５８〜６２ページ、並びにＰｒｉｎｔｉｎｇ  Ｔｅｃｈｎｏｌｏｇｙ、Ｊ．Ｍ．Ａｄａｍｓ及びＰ．Ａ．Ｄｏｌｉｎ、Ｄｅｌｍａｒ  Ｔｈｏｍｓｏｎ  Ｌｅａｒｎｉｎｇ、５版、２９３〜３２８ページにさらに記載されている。
【０１０９】
[0109]輪転グラビア（当技術分野では、グラビアとも呼ばれる。）は、画像要素がシリンダーの表面に刻まれる印刷プロセスである。非画像エリアは、一定の元のレベルにある。印刷の前に、印刷プレート全体（非印刷要素及び印刷要素）がインクを入れられ、インクで満たされる。インクは、印刷前にワイパー又はブレードによって非画像から除去され、その結果、インクは、セル内のみに残る。画像は、典型的には２〜４バールの範囲内の圧力、及び基材とインクとの間の接着力によってセルから基材に移される。用語の輪転グラビアは、例えば、異なるタイプのインクを利用する凹版印刷プロセス（当技術分野では、彫刻鋼製金型印刷プロセス又は銅板印刷プロセスとも呼ばれる。）を包含しない。さらなる詳細は、「Ｈａｎｄｂｏｏｋ  ｏｆ  ｐｒｉｎｔ  ｍｅｄｉａ」、Ｈｅｌｍｕｔ  Ｋｉｐｐｈａｎ、Ｓｐｒｉｎｇｅｒ  Ｅｄｉｔｉｏｎ、４８ページ、並びにＴｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、５版、４２〜５１ページに提供されている。
【０１１０】
[0110]フレキソ印刷は、ドクターブレード、好ましくはチャンバードクターブレード、アニロックスローラー、及び版胴（プレートシリンダ）を有するユニットを使用することが好ましい。アニロックスローラーは、その体積及び／又は密度がインク塗布率を決定する小さいセルを有することが有利である。ドクターブレードは、アニロックスローラーの反対にあり、同時に必要以上の量のインクを掻き落とす。アニロックスローラーは、インクを版胴に移し、それは、最終的にインクを基材に移す。具体的な設計は、設計されたフォトポリマープレートを使用して実現されてもよい。版胴は、ポリマー材料又はエラストマー材料から作製することができる。ポリマーは、プレートにおけるフォトポリマーとして主に使用され、スリーブのシームレスコーティングとして時に使用される。フォトポリマープレートは、紫外（ＵＶ）光によって硬化される感光性ポリマーからできている。フォトポリマープレートは、要求されるサイズに切断され、ＵＶ光露光ユニット内に置かれる。プレートの１つの側は、ＵＶ光に完全に曝露されて、プレートの基部を硬化（harden）又は硬化（cure）させる。次いでプレートは、ひっくり返され、その作業のネガが未硬化側に取り付けられ、プレートは、ＵＶ光にさらに曝露される。これにより、画像エリア内のプレートが硬化される。次いでプレートは、非画像エリアから硬化されていないフォトポリマーを除去するように処理され、それにより、これらの非画像エリア内のプレート表面が下がる。処理後、プレートは、乾燥され、曝露後線量のＵＶ光が与えられてプレート全体を硬化させる。フレキソ印刷のための版胴の調製は、Ｐｒｉｎｔｉｎｇ  Ｔｅｃｈｎｏｌｏｇｙ、Ｊ．Ｍ．Ａｄａｍｓ及びＰ．Ａ．Ｄｏｌｉｎ、Ｄｅｌｍａｒ  Ｔｈｏｍｓｏｎ  Ｌｅａｒｎｉｎｇ、５版、３５９〜３６０ページ、並びにＴｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、５版、３３〜４２ページに記載されている。
【０１１１】
[0111]当技術分野では、凹版印刷は、彫刻銅版（engraved copper plate）印刷及び彫刻鋼製金型印刷とも呼ばれる）。凹版印刷プロセスの間、プリントされるパターン又は画像を彫刻されたプレートを担持する彫刻されたスチールシリンダーに、インキングシリンダー（複数可）（又はシャブロンシリンダー）のインクが供給され、各インキングシリンダーは、セキュリティフィーチャを形成するための少なくとも１種の対応するカラーでインクが入れられている。インキングの後で、凹版印刷プレートの表面の任意の過剰量のインクが回転するワイピングシリンダーによって拭き取られる。印刷シリンダーの彫り板に残っているインクは、印刷される基材に圧力で移され、一方、ワイピングシリンダーは、ワイピング溶液によって浄化される。他のワイピング技法、例えば、ペーパーワイピング又はティッシュワイピング（「サラサ」）なども使用することができる。ワイピングステップに引き続いて、インクが入れられた凹版が基材と接触させられ、インクが、凹版印刷プレートの彫り板から印刷される基材に圧力で移され、基材に厚い印刷パターンを形成する。凹版印刷プロセスの際立った特徴の１つは、基材に移されるインクの膜厚を、凹版印刷プレートの相応に浅い又はそれぞれ深い陥凹を使用することによって数マイクロメートルから数十マイクロメートルに変更することができることである。凹版インク層厚から生じる凹版レリーフは、基材のエンボス加工によって強調され、前記エンボス加工は、インク移動中に圧力によって生じる。凹版印刷から生じる触覚性は、銀行券にこれらの典型的で認識できる触感を与える。液体インクを必要とするスクリーン印刷、輪転グラビア印刷、及びフレキソ印刷と比較すると、凹版印刷は、４０℃及び１０００ｓ−１で５〜４０Ｐａ．ｓの範囲内の粘度を有する油脂状及びペースト状の（高度に粘性の）インクを利用する。凹版印刷は、例えば、Ｔｈｅ  Ｐｒｉｎｔｉｎｇ  ｉｎｋ  ｍａｎｕａｌ、Ｒ．Ｈ．Ｌｅａｃｈ及びＲ．Ｊ．Ｐｉｅｒｃｅ、Ｓｐｒｉｎｇｅｒ  Ｅｄｉｔｉｏｎ、５版、７４ページ、並びにＯｐｔｉｃａｌ  Ｄｏｃｕｍｅｎｔ  Ｓｅｃｕｒｉｔｙ、Ｒ．Ｌ．ｖａｎ  Ｒｅｎｅｓｓｅ、２００５、３版、１１５〜１１７ページにさらに記載されている。
【０１１２】
[0112]光学可変組成物、磁気組成物、及び使用されるとき、任意選択の非磁気組成物の、好ましくは本明細書に記載の印刷プロセスによる塗布に引き続いて、前記組成物は、硬化され、又は少なくとも部分的に硬化される。本明細書に記載の硬化ステップは、組成物の粘度を増大させ、その結果、基材に接着する実質的に固形の材料が形成される任意のステップであり得る。上述したように、本明細書に記載の硬化ステップは、溶媒などの揮発性成分の蒸発、及び／又は水蒸発（すなわち、物理的な乾燥）に基づく物理的プロセスを独立に伴い得る。本明細書では、熱風、赤外線、又は熱風と赤外線の組合せを使用することができる。代わりに、本明細書に記載の硬化ステップは、記載したセキュリティスレッドの典型的な使用中に起こり得る単純な温度上昇によって逆転されない化学反応、例えば、組成物中に含まれる結合剤、並びに任意選択の開始剤化合物及び／又は任意選択の架橋化合物の硬化、重合、又は架橋などを独立に含むことができる。このような化学反応は、物理的硬化プロセスについて上記に略述したように熱又はＩＲ照射によって開始することができるが、限定することなく、紫外−可視光放射線硬化（以下、ＵＶ−Ｖｉｓ硬化と呼ぶ）及び電子ビーム照射硬化（Ｅ−ビーム硬化）を含めた放射線機構；酸化重合（酸化的細網化、酸素と、好ましくはコバルト含有触媒、バナジウム含有触媒、ジルコニウム含有触媒、ビスマス含有触媒、及びマンガン含有触媒からなる群から選択される１種若しくは複数の触媒との共同作用によって典型的には誘導される。）；架橋反応、又はこれらの任意の組合せによる化学反応の開始を好ましくは含むことができる。
【０１１３】
[0113]光学可変組成物が本明細書に記載の磁気光学可変顔料粒子を含むとき、前記光学可変顔料粒子は、本明細書に記載のセキュリティスレッドの光学可変層中で配向している、すなわち、ランダムに分布していない場合がある。磁気光学可変顔料粒子を含むことによって、本明細書に記載の光学可変組成物は、光学可変組成物内の顔料を磁場と整列させることによって動的な、３次元の、錯覚の、及び／又は映画のような画像を呈するセキュリティスレッドを生成するのに非常に適している。多種多様な光学効果を、例えば、米国特許第６，７５９，０９７号、欧州特許出願公開第２１６５７７４号、及び欧州特許第１８７８７７３号に開示された様々な方法によって生じさせることができる。フリップフロップ効果（当技術分野では、スイッチング効果とも呼ばれる。）として公知の光学効果を生じさせてもよい。フリップフロップ効果は、第１の印刷された部分、及び移行部によって分離された第２の印刷された部分を含み、顔料粒子は、第１の部分の第１の面に平行に整列されており、第２の部分の顔料粒子は、第２の面に平行に整列されている。フリップフロップ効果を生じさせるための方法は、例えば、欧州特許第１８１９５２５号に開示されている。ローリングバー効果として公知の光学効果も生じさせることができる。ローリングバー効果は、画像が視角に対して傾けられた際に動く（「回転する」）ように現れる１つ又は複数の対照的なバンドを示し、前記光学効果は、磁気顔料粒子又は磁化可能顔料粒子の特異的な配向に基づき、前記顔料粒子は、凸面湾曲（当技術分野では、負の湾曲した配向とも呼ばれる。）又は凹面湾曲（当技術分野では、正の湾曲した配向とも呼ばれる。）に従って湾曲様式で整列されている。ローリングバー効果を生じさせるための方法は、例えば、欧州特許出願公開第２２６３８０６号、欧州特許第１６７４２８２号、欧州特許出願公開第２２６３８０７号、国際公開第２００４／００７０９５Ａ２号、及び国際公開第２０１２／１０４０９８Ａ１号に開示されている。ベネチアンブラインド効果として公知の光学効果も生じさせることができる。ベネチアンブラインド効果は、観察の特異的な方向に沿って、これらの効果が下にある基材表面に可視性を与え、その結果、基材表面上又は基材表面中に存在するインディシア又は他のフィーチャが観察者に明らかになり、一方これらの効果は、観察の別の方向に沿った可視性を妨害するように配向された顔料粒子を含む。ベネチアンブラインド効果を生じさせるための方法は、例えば、米国特許第８，０２５，９５２号及び欧州特許第１８１９５２５号に開示されている。ムービングリング効果として公知の光学効果も生じさせることができる。ムービングリング効果は、前記光学効果層の傾きの角度に応じて任意のｘ−ｙ方向に移動するように見える物体、例えば、漏斗、コーン、ボウル、円、楕円、及び半球などの光学的に錯覚を起こさせる画像からなる。ムービングリング効果を生じさせるための方法は、例えば、欧州特許出願公開第１７１０７５６号、米国特許第８，３４３，６１５号、欧州特許出願公開第２３０６２２２号、同第２３２５６７７号、国際公開第２０１１／０９２５０２Ａ２号、及び米国特許出願公開第２０１３／０８４４１１号に開示されている。
【０１１４】
[0114]本明細書に記載の光学可変顔料粒子を含む光学可変組成物が、依然として湿っており、又は十分柔らかく、その結果、光学可変組成物中の粒子が移動及び回転することができるとき（すなわち、光学可変組成物が第１の状態にある間）、光学可変組成物は、磁気配向ステップに付されてもよく、すなわち、光学可変組成物は、粒子の配向を実現するために磁場にさらされてもよい。粒子を磁気的に配向させるステップは、塗布された光学可変組成物を、それが「湿っている」（すなわち、依然として液体であり、粘性が高すぎず、すなわち、第１の状態にある）間に、磁場生成デバイスによって生成される決められた磁場に曝露し、それによって配向パターンを形成するなどのために粒子を磁場の磁力線に沿って配向させるステップを含む。本明細書に記載の磁気光学可変顔料粒子を含む光学可変組成物を磁場に曝露するステップは、光学可変組成物を塗布するステップと部分的に同時に、同時に、若しくは引き続いて、又は前記ステップに引き続いて実施することができる。すなわち、両方のステップを部分的に同時に、又は同時に、又は引き続いて実施してもよい。
【０１１５】
[0115]本明細書に記載の磁気光学可変顔料粒子を含む光学可変組成物を備える本明細書に記載のセキュリティスレッド又はストライプを生成するための方法は、磁気配向ステップと部分的に同時に、又は磁気配向ステップに引き続いて、光学可変組成物を上述したように少なくとも部分的に硬化させて、粒子を所望のパターンにおけるその採用された位置及び配向に固定し、それによって光学可変組成物を第２の状態に変換するステップを含む。この固定によって、固体光学可変層が形成される。
【０１１６】
[0116]本明細書に記載の磁気光学可変顔料粒子を含む光学可変組成物が、本明細書に記載の顔料粒子を配向させるように配向ステップに付されるとき、放射線硬化、より好ましくはＵＶ−Ｖｉｓ光放射線硬化によって前記光学可変組成物を少なくとも部分的に硬化させることが特に好適である。その理由は、これらの技術は有利なことに、非常に速い硬化プロセスをもたらし、したがって本明細書に記載のセキュリティスレッドの調製時間を大幅に減少させるためである。さらに、放射線硬化は、硬化放射線に曝露した後の光学可変組成物の粘度のほとんど瞬間的な増大を生じさせ、したがって、粒子の任意のさらなる移動を最小限にするという利点を有する。
【０１１７】
[0117]本明細書に記載のセキュリティスレッド又はストライプを生成するための方法は、１種又は複数の保護ワニスを好ましくは印刷プロセスによって塗布して、光学可変層及び／又は場合によって磁気コードに（すなわち、環境に面した側に）１つ又は複数の保護層を形成するステップであって、ステップｂ）の後に実施される、ステップをさらに含んでもよい。
【０１１８】
[0118]本明細書の発明に記載のセキュリティスレッド又はストライプを生成するための方法は、本明細書に記載のステップｂ）の下で得られる構造の片側若しくは両側に、又はステップｂ）の下で得られ、１つ若しくは複数の保護層をさらに含む構造に、１つ又は複数の接着層、好ましくは１つ又は複数の熱接着層を塗布するステップｃ）をさらに含んでもよい。本明細書に記載のステップｂ）の下で得られる構造の片側又は両側に１つ又は複数の接着層、好ましくは１つ又は複数の熱接着層を塗布すると、前記セキュリティ文書中又は前記セキュリティ文書上にスレッド又はストライプを組み込んだ後にセキュリティ文書に粘着性がもたらされる。
【０１１９】
[0119]本明細書に記載のセキュリティスレッド又はストライプを生成するための方法は、本明細書に記載のステップｂ）の下で得られる構造に追加の非金属化基材を塗布するステップをさらに含んでもよく、ただし、光学可変層、磁気コード、及び存在するとき、非磁気層は、セキュリティスレッド又はストライプの１つの側から少なくとも部分的に一体化して目に見える。上述したものなどの追加の非金属化基材であって、環境に面している追加の非金属化基材を備える本明細書に記載のセキュリティスレッド又はストライプは、ａ）本明細書に記載の非金属化基材、本明細書に記載の光学可変層、及び本明細書に記載の磁気コードを備える第１の構造をｂ）本明細書に記載の追加の非金属化基材と積層することによって調製することができ、光学可変層、磁気コード、及び任意選択の非磁気層は、非金属化基材と追加の非金属化基材との間に配置され、任意選択の非磁気層は、存在するとき、積層前の第１の構造又は第２の構造中に存在する。代わりに、上述したものなどの本明細書に記載の追加の非金属化基材を備える本明細書に記載のセキュリティスレッド又はストライプは、ａ）本明細書に記載の非金属化基材、並びに本明細書に記載の光学可変層及び磁気コードの一方を備える第１の構造を、ｂ）本明細書に記載の追加の非金属化基材、並びに本明細書に記載の光学可変層及び磁気コードの他方を備える第２の構造と積層することによって調製することができ、光学可変層、磁気コード、及び任意選択の非磁気層は、非金属化基材と追加の非金属化基材との間に配置され、任意選択の非磁気層は、存在するとき、積層前の第１の構造又は第２の構造中に存在する。積層は、当技術分野で公知の慣例的な積層プロセス、例えば、結合される表面の少なくとも１つに存在する追加の材料を任意選択でさらに含む第１の構造及び第２の構造に熱及び／又は圧力をかけることからなる方法などによって実施することができる。典型的には、追加の材料は、水系、溶媒系、溶媒フリー、又はＵＶ硬化性組成物であってもよい慣例的な積層接着層又は慣例的なつなぎ層からなる。一実施形態では、方法は、第１の構造及び／又は第２の構造に１つ又は複数の接着層を塗布して、第１の構造及び第２の構造を積層された構造中で一緒に接着させるステップを含む。
【０１２０】
[0120]本明細書に記載のセキュリティスレッド又はストライプをスライスすることからなるさらなるステップを、約０．５ｍｍ〜約３０ｍｍの間、より好ましくは約０．５ｍｍ〜約５ｍｍの間の好ましくは幅、すなわち、横方向の寸法を有するセキュリティスレッド又はストライプをもたらすように実現することができる。本明細書に記載するように得られる構造の片側又は両側に１つ又は複数の接着層、好ましくは１つ又は複数の熱接着層を塗布するステップが実施される場合、構造をスライスするステップは、１つ又は複数の接着層を塗布するステップに引き続いて実施される。
【０１２１】
[0121]本明細書に記載のセキュリティスレッド又はストライプは、偽造、不正、又は不法な複製に対するセキュリティ文書の保護に特に適している。前記セキュリティスレッド又はストライプを備えるセキュリティ文書も本明細書に記載されている。
【０１２２】
[0122]セキュリティ文書は、異なる技術分野から選択され、異なる供給業者によって製造され、セキュリティ文書の異なる構成部分に埋め込まれるいくつかのセキュリティフィーチャによって通常保護される。セキュリティ文書の保護を破るために、偽造者は、暗示される材料のすべてを入手し、要求される処理技術のすべてにアクセスする必要があり、それは、ほとんど達成できないタスクである。セキュリティ文書の例としては、限定することなく、価値のある文書及び価値のある商用品がある。価値のある文書の典型的な例としては、限定することなく、銀行券、証書、切符、小切手、商品引換券、収入印紙、及び税ラベル、合意書など、身分証明書、例えば、パスポート、身分証明カード、ビザ、銀行カード、クレジットカード、取引カード、アクセス文書、入場券などがある。用語「価値のある商用品」は、例えば、真正の薬物のような包装の内容を保証するために１種又は複数のセキュリティフィーチャを備え得る特に医薬品、化粧品、電子機器、又は食品産業のための包装材を指す。これらの包装材の例としては、限定することなく、認証ブランドラベルなどのラベル、改ざん証拠（ｔａｍｐｅｒ  ｅｖｉｄｅｎｃｅ）ラベル及びシールなどがある。本明細書に記載のセキュリティ文書は、銀行券、身分証明書、例えば、パスポート、身分証明カード、運転免許証など、より好ましくは銀行券からなる群から選択されることが好ましい。
【０１２３】
[0123]本明細書に記載のセキュリティ文書の耐摩耗性及び耐汚損性を増大させる目的で、又は光学的光沢若しくは美的外観を改良する目的で、本明細書に記載のセキュリティ文書は、上述したものなどの１つ又は複数の保護層をさらに含み得る。
【０１２４】
[0124]本明細書に記載のセキュリティスレッド又はストライプを備えるセキュリティ文書を作製するための方法、及びその方法から得られるセキュリティ文書も本明細書に記載されている。本明細書に記載のセキュリティスレッド又はストライプを備えるセキュリティ文書を作製するための方法であって、本明細書に記載のセキュリティスレッド若しくはストライプを前記セキュリティ文書に少なくとも部分的に埋め込み、又はセキュリティ文書の表面に本明細書に記載のセキュリティスレッド若しくはストライプを取り付けるステップを含み、光学可変層、磁気コード、及び任意選択の非磁気層は、セキュリティ文書の１つの側から一体化して目に見える、方法。
【０１２５】
[0125]上述したように、本明細書に記載のセキュリティスレッド又はストライプは、窓が付けられたセキュリティスレッド又はストライプとしてセキュリティ文書中に少なくとも部分的に埋め込むことができ、その結果、前記セキュリティスレッド又はストライプは、セキュリティ文書の１つの側から少なくとも部分的に目に見える。セキュリティ文書がセキュリティペーパーである基材を備えるとき、本明細書に記載のセキュリティスレッド又はストライプは、製紙業で一般に使用される技法によって製造中にセキュリティペーパーに少なくとも部分的に埋め込み、組み込むことができる。例えば、本明細書に記載のセキュリティスレッド又はストライプを、湿った紙繊維内に、繊維が未凝固で柔軟である間に押し付けることができ、こうして、得られるセキュリティペーパーに完全に埋め込まれたセキュリティスレッド又はストライプをもたらす。本明細書に記載のセキュリティスレッド又はストライプを、円網抄紙機（cylinder mold papermaking machine）、シリンダーバット機械、又は公知のタイプの同様の機械に送り込み、仕上げられた紙（すなわち、窓を付けられた紙）の本体内にセキュリティスレッド又はストライプを部分的に埋め込むこともできる。
【０１２６】
[0126]代わりに、本明細書に記載のセキュリティスレッド又はストライプは、転写要素としてセキュリティ文書の表面に完全に配置されてもよい。このような場合では、本明細書に記載のセキュリティスレッド又はストライプは、限定することなく、セキュリティスレッド若しくはストライプの表面への感圧接着剤の塗布、セキュリティスレッド若しくはストライプの表面への熱活性化接着剤の塗布、又は熱転写技法の使用を含めた任意の公知の技法によってセキュリティ文書の表面に取り付けることができ、ただし、光学可変層、磁気コード、及び任意選択の非磁気層は、セキュリティ文書の１つの側から一体化してで目に見える。
【図１Ａ】
0006535930.tif 000002
【図１Ｂ】
0006535930.tif 000003
【図１Ｃ】
0006535930.tif 000004
【図２Ａ】
0006535930.tif 000005
【図２Ｂ】
0006535930.tif 000006
【図２Ｃ】
0006535930.tif 000007
【図３Ａ】
0006535930.tif 000008
【図３Ｂ】
0006535930.tif 000009
【図４Ａ】
0006535930.tif 000010
【図４Ｂ】
0006535930.tif 000011
【図４Ｃ】
0006535930.tif 000012
【図５Ａ】
0006535930.tif 000013
【図５Ｂ】
0006535930.tif 000014